(57)【要約】【課題】自動運転の実施条件を乗員に認識させることができる車両制御システム、車両制御方法、および車両制御プログラムを提供することを目的の一つとする。【解決手段】車両制御システムは、運転操作子が乗員により操作されたことを検出する第１検出部と、前記乗員の顔または視線の向きを検出する第２検出部と、第１自動運転モードと第２自動運転モードとを含む複数の自動運転モードのいずれかに、自動運転制御部が実行する自動運転モードを切り替える切替制御部と、を備え、前記切替制御部は、前記運転操作子が操作されず、且つ前記乗員の顔または視線の向きが第１角度範囲内であることを、前記第１自動運転モードの実行条件とし、前記運転操作子が操作されず、且つ前記乗員の顔または視線の向きが前記第１角度範囲よりも広い第２角度範囲内であることを、前記第２自動運転モードの実行条件とする。【選択図】図１
2018203007.tif 000002
【特許請求の範囲】
【請求項１】
運転操作子が乗員により操作されたことを検出する第１検出部と、
前記乗員の顔または視線の向きを検出する第２検出部と、
自動運転を実行する自動運転制御部と、
前記乗員に対して所定のタスクが要求される、または所定の自動化率の第１自動運転モードと、前記第１自動運転モードに比して前記乗員に要求されるタスクの程度が低い、または前記自動化率が低い第２自動運転モードとを含む複数の自動運転モードのいずれかに、前記自動運転制御部が実行する自動運転モードを切り替える切替制御部と、を備え、
前記切替制御部は、
前記第１検出部により前記運転操作子が操作されたことが検出されず、且つ前記第２検出部により検出された向きが、ある向きを基準とした第１角度範囲内であることを、前記複数の自動運転モードのうち前記第１自動運転モードを実行するための条件とし、
前記第１検出部により前記運転操作子が操作されたことが検出されず、且つ前記第２検出部により検出された向きが、前記第１角度範囲よりも広い第２角度範囲内であることを、前記複数の自動運転モードのうち前記第２自動運転モードを実行するための条件とする、
車両制御システム。
【請求項２】
前記第１自動運転モードは、前記乗員に周辺監視義務が課される運転モードであり、
前記第２自動運転モードは、前記乗員に周辺監視義務が課されない運転モードである、
請求項１に記載の車両制御システム。
【請求項３】
前記乗員の覚醒の度合を示す覚醒度を検出する第３検出部を更に備え、
前記切替制御部は、更に、前記第３検出部により検出された覚醒度が閾値以上であることを、前記複数の自動運転モードのうち前記第２自動運転モードを実行するための条件とする、
請求項１または２に記載の車両制御システム。
【請求項４】
前記第２自動運転モード下において前記自車両が走行可能な最大速度は、前記第１自動運転モード下において前記自車両が走行可能な最大速度に比して小さい、
請求項１から３のうちいずれか１項に記載の車両制御システム。
【請求項５】
前記切替制御部は、更に、前記自車両が所定のエリアを走行していることを、前記複数の自動運転モードのうち前記第２自動運転モードを実行するための条件とする、
請求項１から４のうちいずれか１項に記載の車両制御システム。
【請求項６】
前記所定のエリアは、地図情報を参照することで前記自車両の走行車線が認識可能なエリアである、
請求項５に記載の車両制御システム。
【請求項７】
前記切替制御部は、更に、前記自車両が走行する自車線において、前記自車両の前方に他車両が存在することを、前記複数の自動運転モードのうち前記第２自動運転モードを実行するための条件とする、
請求項１から６のうちいずれか１項に記載の車両制御システム。
【請求項８】
前記切替制御部は、前記自車両の前方に存在する他車両の速度が閾値未満であることを、前記複数の自動運転モードのうち前記第２自動運転モードを実行するための条件とする、
請求項７に記載の車両制御システム。
【請求項９】
前記乗員が着座するシートの前方に設置された第１表示部と、
車幅方向に関して、前記第１表示部の設置位置と異なる位置に設置された第２表示部とを更に備え、
前記第１表示部は、前記複数の自動運転モードが前記第１自動運転モードまたは前記第２自動運転モードである場合に、運転に関する注意喚起情報を表示し、
前記第１表示部は、前記シートに着座した乗員が正面を向いたときの顔または視線の向きを基準とした前記第１角度範囲内に設置され、
前記第２表示部は、前記シートに着座した乗員が正面を向いたときの顔または視線の向きを基準とした前記第１角度および前記第２角度の双方の範囲内に設置される、
請求項１から８のうちいずれか１項に記載の車両制御システム。
【請求項１０】
前記切替制御部は、前記第１自動運転モードを前記自動運転制御部が実行する自動運転モードに切り替えた場合、前記自車両の将来の進行方向に応じて、前記第１角度範囲の基準とする向きと、前記第１角度範囲とのうち一方または双方を変更する、
請求項１から９のうちいずれか１項に記載の車両制御システム。
【請求項１１】
車載コンピュータが、
運転操作子が乗員により操作されたことを検出し、
前記乗員の顔または視線の向きを検出し、
自動運転を実行し、
前記乗員に対して所定のタスクが要求される、または所定の自動化率の第１自動運転モードと、前記第１自動運転モードに比して前記乗員に要求されるタスクの程度が低い、または前記自動化率が低い第２自動運転モードとを含む複数の自動運転モードのいずれかに、前記自動運転を実行するための自動運転モードを切り替え、
前記運転操作子が操作されたことが検出されず、且つ前記乗員の顔または視線の向きが、ある向きを基準とした第１角度範囲内であることを、前記複数の自動運転モードのうち前記第１自動運転モードを実行するための条件とし、
前記運転操作子が操作されたことが検出されず、且つ前記乗員の顔または視線の向きが、前記第１角度範囲よりも広い第２角度範囲内であることを、前記複数の自動運転モードのうち前記第２自動運転モードを実行するための条件とする、
車両制御方法。
【請求項１２】
車載コンピュータに、
運転操作子が乗員により操作されたことを検出させ、
前記乗員の顔または視線の向きを検出させ、
自動運転を実行させ、
前記乗員に対して所定のタスクが要求される、または所定の自動化率の第１自動運転モードと、前記第１自動運転モードに比して前記乗員に要求されるタスクの程度が低い、または前記自動化率が低い第２自動運転モードとを含む複数の自動運転モードのいずれかに、前記自動運転を実行するための自動運転モードを切り替えさせ、
前記運転操作子が操作されたことが検出されず、且つ前記乗員の顔または視線の向きが、ある向きを基準とした第１角度範囲内であることを、前記複数の自動運転モードのうち前記第１自動運転モードを実行するための条件とさせ、
前記運転操作子が操作されたことが検出されず、且つ前記乗員の顔または視線の向きが、前記第１角度範囲よりも広い第２角度範囲内であることを、前記複数の自動運転モードのうち前記第２自動運転モードを実行するための条件とさせる、
車両制御プログラム。
【発明の詳細な説明】
【技術分野】
【０００１】
本発明は、車両制御システム、車両制御方法、および車両制御プログラムに関する。
【背景技術】
【０００２】
従来、自動運転が開始可能な場合に乗員に所定の情報を通知し、これを受けて乗員がステアリングホイールを手放した時に自動運転を開始する技術が開示されている（例えば、特許文献１参照）。これに関連し、近年、自動運転の自動化の程度に応じて、乗員に周辺監視などのタスクが求められている。
【先行技術文献】
【特許文献】
【０００３】
【特許文献１】米国特許第８３５２１１０号明細書
【発明の概要】
【発明が解決しようとする課題】
【０００４】
しかしながら、従来の技術では、乗員に要求されるタスクの度合に応じて、自動運転の自動化の程度を異ならせた複数の自動運転モードを設けた場合に、各自動運転モードがどのような条件のもとで開始されるのか乗員が十分に認識できていなかった。
【０００５】
本発明は、このような事情を考慮してなされたものであり、自動運転の実施条件を乗員に認識させることができる車両制御システム、車両制御方法、および車両制御プログラムを提供することを目的の一つとする。
【課題を解決するための手段】
【０００６】
（１）：運転操作子が乗員により操作されたことを検出する第１検出部と、前記乗員の顔または視線の向きを検出する第２検出部と、自動運転を実行する自動運転制御部と、前記乗員に対して所定のタスクが要求される、または所定の自動化率の第１自動運転モードと、前記第１自動運転モードに比して前記乗員に要求されるタスクの程度が低い、または前記自動化率が低い第２自動運転モードとを含む複数の自動運転モードのいずれかに、前記自動運転制御部が実行する自動運転モードを切り替える切替制御部と、を備え、前記切替制御部が、前記第１検出部により前記運転操作子が操作されたことが検出されず、且つ前記第２検出部により検出された向きが、ある向きを基準とした第１角度範囲内であることを、前記複数の自動運転モードのうち前記第１自動運転モードを実行するための条件とし、前記第１検出部により前記運転操作子が操作されたことが検出されず、且つ前記第２検出部により検出された向きが、前記第１角度範囲よりも広い第２角度範囲内であることを、前記複数の自動運転モードのうち前記第２自動運転モードを実行するための条件とする車両制御システムである。
【０００７】
（２）：（１）に記載の車両制御システムは、前記第１自動運転モードが、前記乗員に周辺監視義務が課される運転モードであり、前記第２自動運転モードが、前記乗員に周辺監視義務が課されない運転モードであるものである。
【０００８】
（３）：（１）または（２）に記載の車両制御システムは、前記乗員の覚醒の度合を示す覚醒度を検出する第３検出部を更に備え、前記切替制御部が、更に、前記第３検出部により検出された覚醒度が閾値以上であることを、前記複数の自動運転モードのうち前記第２自動運転モードを実行するための条件とするものである。
【０００９】
（４）：（１）から（３）のうちいずれか１つに記載の車両制御システムは、前記第２自動運転モード下において前記自車両が走行可能な最大速度は、前記第１自動運転モード下において前記自車両が走行可能な最大速度に比して小さいものである。
【００１０】
（５）：（１）から（４）のうちいずれか１つに記載の車両制御システムは、前記切替制御部が、更に、前記自車両が所定のエリアを走行していることを、前記複数の自動運転モードのうち前記第２自動運転モードを実行するための条件とするものである。
【００１１】
（６）：（５）に記載の車両制御システムは、前記所定のエリアが、地図情報を参照することで前記自車両の走行車線が認識可能なエリアであるものである。
【００１２】
（７）：（１）から（６）のうちいずれか１つに記載の車両制御システムは、前記切替制御部が、更に、前記自車両が走行する自車線において、前記自車両の前方に他車両が存在することを、前記複数の自動運転モードのうち前記第２自動運転モードを実行するための条件とするものである。
【００１３】
（８）：（７）に記載の車両制御システムは、前記切替制御部が、前記自車両の前方に存在する他車両の速度が閾値未満であることを、前記複数の自動運転モードのうち前記第２自動運転モードを実行するための条件とするものである。
【００１４】
（９）：（１）から（８）のうちいずれか１つに記載の車両制御システムは、前記乗員が着座するシートの前方に設置された第１表示部と、車幅方向に関して、前記第１表示部の設置位置と異なる位置に設置された第２表示部とを更に備え、前記第１表示部が、前記複数の自動運転モードが前記第１自動運転モードまたは前記第２自動運転モードである場合に、運転に関する注意喚起情報を表示し、前記第１表示部が、前記シートに着座した乗員が正面を向いたときの顔または視線の向きを基準とした前記第１角度範囲内に設置され、前記第２表示部が、前記シートに着座した乗員が正面を向いたときの顔または視線の向きを基準とした前記第１角度および前記第２角度の双方の範囲内に設置されるものである。
【００１５】
（１０）：（１）から（９）のうちいずれか１つに記載の車両制御システムは、前記切替制御部が、前記第１自動運転モードを前記自動運転制御部が実行する自動運転モードに切り替えた場合、前記自車両の将来の進行方向に応じて、前記第１角度範囲の基準とする向きと、前記第１角度範囲とのうち一方または双方を変更するものである。
【００１６】
（１１）：車載コンピュータが、運転操作子が乗員により操作されたことを検出し、前記乗員の顔または視線の向きを検出し、自動運転を実行し、前記乗員に対して所定のタスクが要求される、または所定の自動化率の第１自動運転モードと、前記第１自動運転モードに比して前記乗員に要求されるタスクの程度が低い、または前記自動化率が低い第２自動運転モードとを含む複数の自動運転モードのいずれかに、前記自動運転を実行するための自動運転モードを切り替え、前記運転操作子が操作されたことが検出されず、且つ前記乗員の顔または視線の向きが、ある向きを基準とした第１角度範囲内であることを、前記複数の自動運転モードのうち前記第１自動運転モードを実行するための条件とし、前記運転操作子が操作されたことが検出されず、且つ前記乗員の顔または視線の向きが、前記第１角度範囲よりも広い第２角度範囲内であることを、前記複数の自動運転モードのうち前記第２自動運転モードを実行するための条件とする車両制御方法である。
【００１７】
（１２）：車載コンピュータに、運転操作子が乗員により操作されたことを検出させ、前記乗員の顔または視線の向きを検出させ、自動運転を実行させ、前記乗員に対して所定のタスクが要求される、または所定の自動化率の第１自動運転モードと、前記第１自動運転モードに比して前記乗員に要求されるタスクの程度が低い、または前記自動化率が低い第２自動運転モードとを含む複数の自動運転モードのいずれかに、前記自動運転を実行するための自動運転モードを切り替えさせ、前記運転操作子が操作されたことが検出されず、且つ前記乗員の顔または視線の向きが、ある向きを基準とした第１角度範囲内であることを、前記複数の自動運転モードのうち前記第１自動運転モードを実行するための条件とさせ、前記運転操作子が操作されたことが検出されず、且つ前記乗員の顔または視線の向きが、前記第１角度範囲よりも広い第２角度範囲内であることを、前記複数の自動運転モードのうち前記第２自動運転モードを実行するための条件とさせる車両制御プログラムである。
【発明の効果】
【００１８】
（１）、（２）、（４）〜（８）、（１１）、または（１２）によれば、自動運転の実施条件を乗員に認識させることができる。
【００１９】
（３）によれば、乗員の覚醒度が閾値以上のときに第２自動運転モードから第１自動運転モードに切り替えるため、乗員が覚醒していない状況で、よりタスクが増加する自動運転モードに切り替わることを抑制することができる。
【００２０】
（１０）によれば、第１自動運転モードに切り替えた場合、自車両の将来の進行方向に応じて、第１角度範囲の基準とする向きと、第１角度範囲とのうち一方または双方を変更するため、乗員が自車両の将来の進行方向側に視線を向けた場合であっても周辺監視が継続され、第１自動運転モード下の自動運転制御を継続させることができる。
【図面の簡単な説明】
【００２１】
【図１】実施形態の車両制御システムを含む車両システム１の構成図である。
【図２】自車位置認識部３２２により走行車線Ｌ１に対する自車両Ｍの相対位置および姿勢が認識される様子を示す図である。
【図３】推奨車線に基づいて目標軌道が生成される様子を示す図である。
【図４】車線変更の際の処理について説明するための図である。
【図５】車線変更の際の処理について説明するための図である。
【図６】自車両ＭにおけるＨＭＩ４００の一例を示す図である。
【図７】第３の表示部４７０と発光部４６２の位置関係の一つの側面を例示した図である。
【図８】第３の表示部４７０と発光部４６２の位置関係の他の側面を例示した図である。
【図９】第３の表示部４７０の画面の一部の領域を用いて、第３の表示部４７０が使用可能であること通知することについて説明するための図である。
【図１０】手動運転から運転支援に切り替えられた後、運転支援による車線変更が実行されるまでの各種場面を示す図である。
【図１１】手動運転時に表示される第１画面ＩＭ１−１および第２画面ＩＭ２−１の一例を示す図である。
【図１２】メインスイッチ３１２が操作されたことで表示される第３画面ＩＭ３−１および第４画面ＩＭ４−１の一例を示す図である。
【図１３】オートスイッチ３１４が操作されたときに、第１の表示部４５０およびＨＵＤ４６０に表示される画面ＩＭ３−２およびＩＭ４−２の一例を示す図である。
【図１４】第２の度合の運転支援において、第１の表示部４５０およびＨＵＤ４６０に表示される画面の一例を示す図である。
【図１５】自車両Ｍを上から見た時の車室内の構造を模式的に示す図である。
【図１６】自車両Ｍの挙動が変化する前の第１のタイミングにおいて表示される第３画面ＩＭ３−４および第４画面ＩＭ４−４の一例を示す図である。
【図１７】自車両Ｍの挙動が変化する前の第２のタイミングにおいて表示される第３画面ＩＭ３−５および第４画面ＩＭ４−５の一例を示す図である。
【図１８】車線変更開始時に第１角度範囲Δθ１の基準とする向きが変更される様子を模式的に示した図である。
【図１９】場面（１）〜（３）において、マスター制御部１００により実行される処理の流れの一例を示すフローチャートである。
【図２０】第２の度合の運転支援から第３の度合の運転支援に切り替わり、その後、第３の度合の運転支援から第２の度合の運転支援に切り替わるまでの各種場面を示す図である。
【図２１】自車両Ｍの加速制御時に表示される第３画面ＩＭ３−６および第４画面ＩＭ４−６の一例を示す図である。
【図２２】低速追従走行時に表示される第３画面ＩＭ３−７および第４画面ＩＭ４−７の一例を示す図である。
【図２３】乗員に周辺監視を行わせるために表示される第３画面ＩＭ３−８、第４画面ＩＭ４−８の一例を示す図である。
【図２４】第３の度合の運転支援から第２の度合の運転支援に切り替わった場合の第３画面ＩＭ３−９、第４画面ＩＭ４−９の一例を示す図である。
【図２５】場面（４）〜（６）において、マスター制御部１００および自動運転制御ユニット３００により実行される処理の流れの一例を示すフローチャートである。
【図２６】第２の度合の運転支援から手動運転による走行に切り替わるまでの各種場面を示す図である。
【図２７】手動運転時への切り替え要求時に表示される第３画面ＩＭ３−１０、第４画面ＩＭ４−１０の一例を示す図である。
【図２８】乗員に手動運転を実行させるための警告を強めた第３画面ＩＭ３−１１および第４画面ＩＭ４−１１の一例を示す図である。
【図２９】自動運転を終了する旨の情報を表示する第３画面ＩＭ３−１２および第４画面ＩＭ４−１２の一例を示す図である。
【図３０】代替制御時における第３画面ＩＭ３−１３および第４画面ＩＭ４−１３の一例を示す図である。
【図３１】場面（７）〜（９）において、ＨＭＩ制御部１２０により実行される処理の流れの一例を示すフローチャートである。
【図３２】運転支援に関連する各種機器または制御の切り替えタイミングについて説明するための図である。
【発明を実施するための形態】
【００２２】
以下、図面を参照し、本発明の車両制御システム、車両制御方法、および車両制御プログラムの実施形態について説明する。実施形態では、車両制御システムは、自動運転（自律運転）可能な自動運転車両に適用される。自動運転は、原則として乗員による操作を必要としない状態で車両を走行させることをいい、運転支援の一種であると考えられる。なお、自動運転車両は手動運転により走行させることもできる。以下の説明において、「乗員」とは、運転席すなわち運転操作子が設けられたシートに着座した乗員を指すものとする。
【００２３】
本実施形態において、運転支援の度合には、例えば、第１の度合と、第１の度合よりも制御度合（自動化率）が高い第２の度合と、第２の度合よりも制御度合が高い第３の度合とがあるものとする。第１の度合の運転支援では、例えば、ＡＣＣ（Adaptive Cruise Control System）やＬＫＡＳ（Lane Keeping Assistance System）等の運転支援装置が作動することで運転支援制御が実行される。第２の度合および第３の度合の運転支援では、例えば、乗員による運転操作子の操作を必要とせずに、車両の加減速および操舵の双方を自動的に制御する自動運転が実行される。これらの運転支援の実行に伴って、乗員にはその運転支援の度合に応じたタスク（責務）が課される。例えば、第１の度合および第２の度合の運転支援では、乗員に周辺監視義務が課されるのに対し、第３の度合の運転支援では、乗員に周辺監視義務が課されない（或いは周辺監視義務の程度が低い）。乗員が周辺監視義務を果たさない場合、例えば、運転支援の度合が低下する。第２の度合の運転支援が行われる状態は、「第１自動運転モード」の一例であり、第３の度合の運転支援が行われる状態は、「第２自動運転モード」の一例である。
【００２４】
［全体構成］
図１は、実施形態の車両制御システムを含む車両システム１の構成図である。車両システム１が搭載される車両（以下、自車両Ｍと称する）は、例えば、二輪や三輪、四輪等の車両であり、その駆動源は、ディーゼルエンジンやガソリンエンジン等の内燃機関、電動機、或いはこれらの組み合わせである。電動機は、内燃機関に連結された発電機による発電電力、或いは二次電池や燃料電池の放電電力を使用して動作する。
【００２５】
車両システム１は、例えば、カメラ１０と、レーダ装置１２と、ファインダ１４と、物体認識装置１６と、通信装置２０と、ナビゲーション装置５０と、ＭＰＵ（Map Positioning Unit）６０と、車両センサ７０と、運転操作子８０と、車室内カメラ９０と、マスター制御部１００と、運転支援制御部２００と、自動運転制御ユニット３００と、ＨＭＩ（Human Machine Interface）４００と、走行駆動力出力装置５００と、ブレーキ装置５１０と、ステアリング装置５２０とを備える。これらの装置や機器は、ＣＡＮ（Controller Area Network）通信線等の多重通信線やシリアル通信線、無線通信網等によって互いに接続される。なお、図１に示す構成はあくまで一例であり、構成の一部が省略されてもよいし、更に別の構成が追加されてもよい。
【００２６】
例えば、車両システム１が備える車室内カメラ９０と、マスター制御部１００と、自動運転制御ユニット３００とを合わせたものは、「車両制御システム」の一例である。
【００２７】
カメラ１０は、例えば、ＣＣＤ（Charge Coupled Device）やＣＭＯＳ（Complementary Metal Oxide Semiconductor）等の固体撮像素子を利用したデジタルカメラである。カメラ１０は、車両システム１が搭載される自車両Ｍの任意の箇所に一つまたは複数が取り付けられる。前方を撮像する場合、カメラ１０は、フロントウインドシールド上部やルームミラー裏面等に取り付けられる。後方を撮像する場合、カメラ１０は、リアウインドシールド上部やバックドア等に取り付けられる。側方を撮像する場合、カメラ１０は、ドアミラー等に取り付けられる。カメラ１０は、例えば、周期的に繰り返し自車両Ｍの周辺を撮像する。カメラ１０は、ステレオカメラであってもよい。
【００２８】
レーダ装置１２は、自車両Ｍの周辺にミリ波等の電波を放射するとともに、物体によって反射された電波（反射波）を検出して少なくとも物体の位置（距離および方位）を検出する。レーダ装置１２は、自車両Ｍの任意の箇所に一つまたは複数が取り付けられる。レーダ装置１２は、ＦＭＣＷ（Frequency Modulated Continuous Wave）方式によって物体の位置および速度を検出してもよい。
【００２９】
ファインダ１４は、照射光に対する散乱光を測定し、対象までの距離を検出するＬＩＤＡＲ（Light Detection and Ranging、或いはLaser Imaging Detection and Ranging）である。ファインダ１４は、自車両Ｍの任意の箇所に一つまたは複数が取り付けられる。
【００３０】
物体認識装置１６は、カメラ１０、レーダ装置１２、およびファインダ１４のうち一部または全部による検出結果に対してセンサフュージョン処理を行って、物体の位置、種類、速度等を認識する。物体認識装置１６は、認識結果を自動運転制御ユニット３００に出力する。
【００３１】
通信装置２０は、例えば、セルラー網やＷｉ−Ｆｉ網、Ｂｌｕｅｔｏｏｔｈ（登録商標）、ＤＳＲＣ（Dedicated Short Range Communication）等を利用して、自車両Ｍの周辺に存在する他車両と通信し、或いは無線基地局を介して各種サーバ装置と通信する。また、通信装置２０は、車外の人物が所持する端末装置と通信する。
【００３２】
ナビゲーション装置５０は、例えば、ＧＮＳＳ（Global Navigation Satellite System）受信機５１と、ナビＨＭＩ５２と、経路決定部５３とを備え、ＨＤＤ（Hard Disk Drive）やフラッシュメモリ等の記憶装置に第１地図情報５４を保持している。ＧＮＳＳ受信機５１は、ＧＮＳＳ衛星から受信した信号に基づいて、自車両Ｍの位置を特定する。自車両Ｍの位置は、車両センサ７０の出力を利用したＩＮＳ（Inertial Navigation System）によって特定または補完されてもよい。ナビＨＭＩ５２は、表示装置、スピーカ、タッチパネル、キー等を含む。ナビＨＭＩ５２は、後述するＨＭＩ４００と一部または全部が共通化されてもよい。経路決定部５３は、例えば、ＧＮＳＳ受信機５１により特定された自車両Ｍの位置（或いは入力された任意の位置）から、ナビＨＭＩ５２を用いて乗員により入力された目的地までの経路（例えば、目的地まで走行するときの経由地に関する情報を含む）を、第１地図情報５４を参照して決定する。第１地図情報５４は、例えば、道路を示すリンクと、リンクによって接続されたノードとによって道路形状が表現された情報である。第１地図情報５４は、道路の曲率やＰＯＩ（Point Of Interest）情報等を含んでもよい。経路決定部５３により決定された経路は、ＭＰＵ６０に出力される。また、ナビゲーション装置５０は、経路決定部５３により決定された経路に基づいて、ナビＨＭＩ５２を用いた経路案内を行ってもよい。なお、ナビゲーション装置５０は、例えば、ユーザの保有するスマートフォンやタブレット端末等の端末装置の機能によって実現されてもよい。また、ナビゲーション装置５０は、通信装置２０を介してナビゲーションサーバに現在位置と目的地を送信し、ナビゲーションサーバから返信された経路を取得してもよい。
【００３３】
ＭＰＵ６０は、例えば、推奨車線決定部６１として機能し、ＨＤＤやフラッシュメモリ等の記憶装置に第２地図情報６２を保持している。推奨車線決定部６１は、ナビゲーション装置５０から提供された経路を複数のブロックに分割し（例えば、車両進行方向に関して１００［ｍ］毎に分割し）、第２地図情報６２を参照してブロックごとに推奨車線を決定する。推奨車線決定部６１は、左から何番目の車線を走行するといった決定を行う。推奨車線決定部６１は、経路において分岐箇所や合流箇所等が存在する場合、自車両Ｍが、分岐先に進行するための合理的な走行経路を走行できるように、推奨車線を決定する。
【００３４】
第２地図情報６２は、第１地図情報５４よりも高精度な地図情報である。第２地図情報６２は、例えば、車線の中央の情報あるいは車線の境界の情報等を含んでいる。また、第２地図情報６２には、道路情報、交通規制情報、住所情報（住所・郵便番号）、施設情報、電話番号情報等が含まれてよい。道路情報には、高速道路、有料道路、国道、都道府県道といった道路の種別を表す情報や、道路の車線数、非常駐車帯の領域、各車線の幅員、道路の勾配、道路の位置（経度、緯度、高さを含む３次元座標）、車線のカーブの曲率、車線の合流および分岐ポイントの位置、道路に設けられた標識等の情報が含まれる。第２地図情報６２は、通信装置２０を用いて他装置にアクセスすることにより、随時、アップデートされてよい。
【００３５】
車両センサ７０は、自車両Ｍの速度を検出する車速センサ、加速度を検出する加速度センサ、鉛直軸回りの角速度を検出するヨーレートセンサ、自車両Ｍの向きを検出する方位センサ等を含む。
【００３６】
運転操作子８０は、例えば、アクセルペダル、ブレーキペダル、シフトレバー、ステアリングホイールその他の操作子を含んでよい。運転操作子８０には、操作量あるいは操作の有無を検出するセンサが取り付けられており、その検出結果は、マスター制御部１００、運転支援制御部２００、自動運転制御ユニット３００、もしくは、走行駆動力出力装置５００、ブレーキ装置５１０、およびステアリング装置５２０のうち、何れか一つまたは複数に出力される。
【００３７】
車室内カメラ９０は、例えば、車室内に設置されたシートに着座する乗員（特に、運転席に着座する乗員）の顔を中心に撮像する。車室内カメラ９０は、ＣＣＤやＣＭＯＳ等の固体撮像素子を利用したデジタルカメラである。車室内カメラ９０は、例えば、周期的に乗員を撮像する。車室内カメラ９０の撮像画像は、マスター制御部１００に出力される。
【００３８】
［各種制御装置］
車両システム１は、制御系の構成として、例えば、マスター制御部１００と、運転支援制御部２００と、自動運転制御ユニット３００とを備える。なお、マスター制御部１００は、運転支援制御部２００または自動運転制御ユニット３００のどちらかに統合されてもよい。
［マスター制御部］
マスター制御部１００は、運転支援の度合の切り替えと、それに関連するＨＭＩ４００の制御等を行う。マスター制御部１００は、例えば、切替制御部１１０と、ＨＭＩ制御部１２０と、操作子状態判定部１３０と、乗員状態監視部１４０とを備える。切替制御部１１０、ＨＭＩ制御部１２０、操作子状態判定部１３０、および乗員状態監視部１４０は、それぞれ、ＣＰＵ（Central Processing Unit）やＧＰＵ（Graphics Processing Unit）等のプロセッサがプログラムを実行することで実現される。また、これらの機能部のうち一部または全部は、ＬＳＩ（Large Scale Integration）やＡＳＩＣ（Application Specific Integrated Circuit）、ＦＰＧＡ（Field-Programmable Gate Array）等のハードウェアによって実現されてもよいし、ソフトウェアとハードウェアの協働によって実現されてもよい。
【００３９】
切替制御部１１０は、例えば、ＨＭＩ４００に含まれる所定のスイッチ（例えば後述するメインスイッチおよびオートスイッチ）から入力される操作信号に基づいて、運転支援の度合を手動運転の状態から第１以上の度合に、或いは第１以上の度合から手動運転の状態に切り替える。また、切替制御部１１０は、例えば、アクセスペダルやブレーキペダル、ステアリングホイール等の運転操作子８０に対する加速、減速または操舵を指示する操作に基づいて、運転支援の度合を第１以上の度合から手動運転の状態に切り替えてもよい。
【００４０】
例えば、第１の度合の運転支援（運転支援制御）では、自車両Ｍの設定車速（下限速度および上限速度）が所定の速度範囲（例えば５０〜１００［ｋｍ／ｈ］程度）に設定される。この設定車速は、乗員操作により適宜変更されてよい。
【００４１】
例えば、第２の度合の運転支援（自動運転制御）では、自車両Ｍの設定車速（下限速度および上限速度）が法定速度などの基準速度に設定される。例えば、自車両Ｍが高速道路を走行する場合、その高速道路の法定速度に合わせて、上限速度は、８０［ｋｍ／ｈ］や１００［ｋｍ／ｈ］程度に設定され、下限速度は、５０［ｋｍ／ｈ］程度に設定される。
【００４２】
また、第３の度合の運転支援（自動運転制御）では、第２の度合の運転支援と同様の設定車速が設定される。第３の度合の運転支援は、例えば、第２の度合の運転支援下において、前走車両の速度が所定速度以下である場合に開始される。前走車両とは、自車両Ｍが走行する走行車線（自車線）において、自車両Ｍの前方の所定距離（例えば５０［ｍ］程度）以内に存在する車両である。また、所定速度とは、例えば、６０［ｋｍ／ｈ］である。
【００４３】
また、切替制御部１１０は、行動計画生成部３２３により生成された行動計画に基づいて、運転支援の度合を切り替えてもよい。例えば、切替制御部１１０は、行動計画によって規定される自動運転の終了予定地点で、運転支援を終了させるようにしてもよい。
【００４４】
また、切替制御部１１０は、ナビゲーション装置５０により特定された自車両Ｍの位置が、自車位置認識部３２２によって自車両の走行車線が認識されるエリアに存在する場合に、運転支援の度合を第３の度合に切り替えてもよい。言い換えれば、切替制御部１１０は、地図情報において車線数や各車線の幅員などの情報を含む区間を自車両Ｍが走行する場合に、運転支援の度合を第３の度合に切り替えてよい。
【００４５】
ＨＭＩ制御部１２０は、運転支援の度合の切り替えに関連する通知等を、ＨＭＩ４００に出力させる。また、ＨＭＩ制御部１２０は、操作子状態判定部１３０または乗員状態監視部１４０の一方または双方による判定結果に関する情報を、ＨＭＩ４００に出力させてもよい。また、ＨＭＩ制御部１２０は、ＨＭＩ４００により受け付けられた情報を運転支援制御部２００または自動運転制御ユニット３００の一方または双方に出力してもよい。ＨＭＩ制御部１２０の機能の詳細については後述する。ＨＭＩ４００は、「情報出力部」の一例であり、ＨＭＩ制御部１２０は、「出力制御部」の一例である。
【００４６】
操作子状態判定部１３０は、例えば、運転操作子８０に含まれるステアリングホイールが操作されている状態（具体的には、現に意図的な操作を行っている場合、直ちに操作可能な状態、または把持状態を指すものとする）であるか否かを判定する。以下、ステアリングホイールが乗員によって操作（把持）されている状態を「ハンズオン」と称し、そうでない状態を「ハンズオフ」と称して説明する。操作子状態判定部１３０の機能の詳細については後述する。
【００４７】
乗員状態監視部１４０は、例えば、画像処理部１４０Ａと、監視判定部１４０Ｂとを備える。画像処理部１４０Ａは、乗員状態監視部１４０の代わりに車室内カメラ９０が備えていてもよい。画像処理部１４０Ａは、例えば、車室内カメラ９０の撮像画像を解析して、運転席の乗員の視線の向きや顔の向きを検出する。監視判定部１４０Ｂは、画像処理部１４０Ａにより検出された視線または顔の向きに基づいて、運転席の乗員が自車両Ｍの周囲を監視しているか否かを判定する。以下、乗員が自車両Ｍの周囲を監視している状態を「アイズオン」と称し、そうでない状態を「アイズオフ」と称して説明する。乗員状態監視部１４０の機能の詳細については後述する。車室内カメラ９０および画像処理部１４０Ａは、「第２検出部」の一例である。
【００４８】
［運転支援制御部］
運転支援制御部２００は、例えば、自車両Ｍの運転支援の度合が第１の度合である場合に、ＡＣＣやＬＫＡＳその他の運転支援制御を実行する。例えば、運転支援制御部２００は、ＡＣＣを実行する際には、カメラ１０、レーダ装置１２、およびファインダ１４から物体認識装置１６を介して入力される情報に基づいて、自車両Ｍと、前走車両との車間距離を一定に保った状態で走行するように走行駆動力出力装置５００およびブレーキ装置５１０を制御する。前走車両とは、自車両Ｍが走行する走行車線（自車線）において、自車両Ｍの直前に存在する車両である。言い換えれば、運転支援制御部２００は、前走車両との車間距離に基づく加減速制御（速度制御）を行う。また、運転支援制御部２００は、ＬＫＡＳを実行する際には、自車両Ｍが、現在走行中の走行車線を維持（レーンキープ）しながら走行するようにステアリング装置５２０を制御する。すなわち、運転支援制御部２００は、車線維持のための操舵制御を行う。第１の度合の運転支援の種類に関しては、運転操作子８０への操作を要求しない自動運転（第２の度合および第３の度合の運転支援）以外の種々の制御を含んでよい。
【００４９】
［自動運転制御ユニット］
自動運転制御ユニット３００は、自車両Ｍの運転支援の度合が第２の度合または第３の度合である場合に、自動運転制御を実行する。自動運転制御ユニット３００は、例えば、第１制御部３２０と、第２制御部３４０とを備える。第１制御部３２０と、第２制御部３４０とは、それぞれ、ＣＰＵやＧＰＵ等のプロセッサがプログラムを実行することで実現される。また、これらの各機能部のうち一部または全部は、ＬＳＩやＡＳＩＣ、ＦＰＧＡ等のハードウェアによって実現されてもよいし、ソフトウェアとハードウェアの協働によって実現されてもよい。自動運転制御ユニット３００は、「自動運転制御部」の一例である。
【００５０】
第１制御部３２０は、例えば、外界認識部３２１と、自車位置認識部３２２と、行動計画生成部３２３とを備える。
【００５１】
外界認識部３２１は、カメラ１０、レーダ装置１２、およびファインダ１４から物体認識装置１６を介して入力される情報に基づいて、周辺車両の位置および速度、加速度等の状態を認識する。周辺車両の位置は、その周辺車両の重心やコーナー等の代表点で表されてもよいし、周辺車両の輪郭で表現された領域で表されてもよい。周辺車両の「状態」とは、周辺車両の加速度やジャーク、あるいは「行動状態」（例えば車線変更をしている、またはしようとしているか否か）を含んでもよい。
【００５２】
また、外界認識部３２１は、上述した周辺車両、障害物（例えば、ガードレールや電柱、駐車車両、歩行者等の人物）、道路形状、その他の物体のうち、少なくとも一つの位置を認識してもよい。
【００５３】
自車位置認識部３２２は、例えば、自車両Ｍが走行している車線（走行車線）、並びに走行車線に対する自車両Ｍの相対位置および姿勢を認識する。自車位置認識部３２２は、例えば、第２地図情報６２から得られる道路区画線のパターン（例えば実線と破線の配列）と、カメラ１０によって撮像された画像から認識される自車両Ｍの周辺の道路区画線のパターンとを比較することで、走行車線を認識する。この認識において、ナビゲーション装置５０から取得される自車両Ｍの位置やＩＮＳによる処理結果が加味されてもよい。
【００５４】
そして、自車位置認識部３２２は、例えば、走行車線に対する自車両Ｍの位置や姿勢を認識する。図２は、自車位置認識部３２２により走行車線Ｌ１に対する自車両Ｍの相対位置および姿勢が認識される様子を示す図である。自車位置認識部３２２は、例えば、自車両Ｍの基準点（例えば重心）の走行車線中央ＣＬからの乖離ＯＳ、および自車両Ｍの進行方向の走行車線中央ＣＬを連ねた線に対してなす角度θを、走行車線Ｌ１に対する自車両Ｍの相対位置および姿勢として認識する。なお、これに代えて、自車位置認識部３２２は、走行車線Ｌ１の何れかの側端部に対する自車両Ｍの基準点の位置等を、走行車線に対する自車両Ｍの相対位置として認識してもよい。自車位置認識部３２２により認識される自車両Ｍの相対位置は、推奨車線決定部６１および行動計画生成部３２３に提供される。
【００５５】
行動計画生成部３２３は、自車両Ｍが目的地等に対して自動運転を実行するための行動計画を生成する。例えば、行動計画生成部３２３は、推奨車線決定部６１により決定された推奨車線を走行するように、且つ、自車両Ｍの周辺状況に対応できるように、自動運転制御において順次実行されるイベントを決定する。実施形態の自動運転におけるイベントには、例えば、一定速度で同じ走行車線を走行する定速走行イベント、低速度（例えば６０［ｋｍ／ｈ］以下）を条件に、前走車両に追従する低速追従イベント、自車両Ｍの走行車線を変更する車線変更イベント、前走車両を追い越す追い越しイベント、合流地点で車両を合流させる合流イベント、道路の分岐地点で自車両Ｍを目的の方向に走行させる分岐イベント、自車両Ｍを緊急停車させる緊急停車イベント等がある。また、これらのイベントの実行中に、自車両Ｍの周辺状況（周辺車両や歩行者の存在、道路工事による車線狭窄等）に基づいて、回避のための行動が計画される場合もある。
【００５６】
行動計画生成部３２３は、自車両Ｍが将来走行する目標軌道を生成する。目標軌道は、自車両Ｍの到達すべき地点（軌道点）を順に並べたものとして表現される。軌道点は、所定の走行距離ごとの自車両Ｍの到達すべき地点であり、それとは別に、所定のサンプリング時間（例えば０コンマ数［ｓｅｃ］程度）ごとの目標速度および目標加速度が、目標軌道の一部として生成される。また、軌道点は、所定のサンプリング時間ごとの、そのサンプリング時刻における自車両Ｍの到達すべき位置であってもよい。この場合、目標速度や目標加速度の情報は軌道点の間隔で表現される。
【００５７】
例えば、行動計画生成部３２３は、運転支援の度合に対応した設定車速の範囲内で、自車両Ｍの目標速度を決定する。例えば、運転支援の度合が第１の度合である場合、行動計画生成部３２３は、５０〜１００［ｋｍ／ｈ］の範囲内で目標速度を決定する。また、運転支援の度合が第２の度合である場合、行動計画生成部３２３は、５０〜８０［ｋｍ／ｈ］または５０〜１００［ｋｍ／ｈ］の範囲内で目標速度を決定する。また、運転支援の度合が第３の度合であり、且つ前走車両が存在しない場合、行動計画生成部３２３は、運転支援の度合が第２の度合であるときと同様に、５０〜８０［ｋｍ／ｈ］または５０〜１００［ｋｍ／ｈ］の範囲内で目標速度を決定し、前走車両が存在する場合、少なくとも前走車両の速度以下に目標速度を決定する。
【００５８】
図３は、推奨車線に基づいて目標軌道が生成される様子を示す図である。図示するように、推奨車線は、目的地までの経路に沿って走行するのに都合が良いように設定される。行動計画生成部３２３は、推奨車線の切り替わり地点の所定距離手前（イベントの種類に応じて決定されてよい）に差し掛かると、車線変更イベント、分岐イベント、合流イベント等を起動する。各イベントの実行中に、障害物を回避する必要が生じた場合には、図示するように障害物を回避するための目標軌道が生成される。
【００５９】
また、行動計画生成部３２３は、車線変更イベントを起動すると、車線変更のための目標軌道を生成する。図４および図５は、車線変更の際の処理について説明するための図である。まず、行動計画生成部３２３は、自車両Ｍが走行する自車線Ｌ１に対して隣接する隣接車線であって、車線変更先の隣接車線Ｌ２を走行する周辺車両から２台の周辺車両を選択し、これらの周辺車両の間に車線変更ターゲット位置ＴＡｓを設定する。以下、隣接車線において車線変更ターゲット位置ＴＡｓの直前を走行する周辺車両を前方基準車両ｍＢと称し、隣接車線において車線変更ターゲット位置ＴＡｓの直後を走行する周辺車両を後方基準車両ｍＣと称して説明する。車線変更ターゲット位置ＴＡｓは、自車両Ｍと前方基準車両ｍＢおよび後方基準車両ｍＣとの位置関係に基づく相対的な位置である。
【００６０】
図４の例では、行動計画生成部３２３が車線変更ターゲット位置ＴＡｓを設定した様子を示している。図中、ｍＡは前走車両を表し、ｍＢは前方基準車両を表し、ｍＣは後方基準車両を表している。また、矢印ｄは自車両Ｍの進行（走行）方向を表している。図４の例の場合、行動計画生成部３２３は、隣接車線Ｌ２上において、前方基準車両ｍＢと後方基準車両ｍＣとの間に車線変更ターゲット位置ＴＡｓを設定する。
【００６１】
次に、行動計画生成部３２３は、車線変更ターゲット位置ＴＡｓに（すなわち前方基準車両ｍＢと後方基準車両ｍＣとの間に）車線変更が可能か否かを判定するための一次条件を満たすか否かを判定する。
【００６２】
一次条件は、例えば、隣接車線に設けた禁止領域ＲＡに周辺車両が一部でも存在せず、且つ、自車両Ｍと、前方基準車両ｍＢおよび後方基準車両ｍＣとのＴＴＣがそれぞれ閾値よりも大きいことである。なお、この判定条件は、自車両Ｍの側方に車線変更ターゲット位置ＴＡｓを設定した場合の一例である。一次条件を満たさない場合、行動計画生成部３２３は、車線変更ターゲット位置ＴＡｓを再設定する。この際に、一次条件を満たすような車線変更ターゲット位置ＴＡｓが設定できるタイミングまで待機したり、或いは車線変更ターゲット位置ＴＡｓを変更し、車線変更ターゲット位置ＴＡｓの側方に移動するための速度制御が行われてもよい。
【００６３】
図４に示すように、行動計画生成部３２３は、例えば、自車両Ｍを車線変更先の車線Ｌ２に射影し、前後に若干の余裕距離を持たせた禁止領域ＲＡを設定する。禁止領域ＲＡは、車線Ｌ２の横方向の一端から他端まで延在する領域として設定される。
【００６４】
禁止領域ＲＡ内に周辺車両が存在しない場合、行動計画生成部３２３は、例えば、自車両Ｍの前端および後端を車線変更先の車線Ｌ２側に仮想的に延出させた延出線ＦＭおよび延出線ＲＭを想定する。行動計画生成部３２３は、延出線ＦＭと前方基準車両ｍＢの衝突余裕時間ＴＴＣ（Ｂ）、および延出線ＲＭと後方基準車両ｍＣの衝突余裕時間ＴＴＣ（Ｃ）を算出する。衝突余裕時間ＴＴＣ（Ｂ）は、延出線ＦＭと前方基準車両ｍＢとの距離を、自車両Ｍおよび前方基準車両ｍＢの相対速度で除算することで導出される時間である。衝突余裕時間ＴＴＣ（Ｃ）は、延出線ＲＭと後方基準車両ｍＣとの距離を、自車両Ｍおよび後方基準車両ｍＣの相対速度で除算することで導出される時間である。行動計画生成部３２３は、衝突余裕時間ＴＴＣ（Ｂ）が閾値Ｔｈ（Ｂ）よりも大きく、且つ衝突余裕時間ＴＴＣ（Ｃ）が閾値Ｔｈ（Ｃ）よりも大きい場合に、一次条件を満たすと判定する。閾値Ｔｈ（Ｂ）とＴｈ（Ｃ）は同じ値であってもよいし、異なる値であってもよい。
【００６５】
一次条件を満たす場合、行動計画生成部３２３は、車線変更のための軌道の候補を生成する。図５の例では、行動計画生成部３２３は、前走車両ｍＡ、前方基準車両ｍＢおよび後方基準車両ｍＣが所定の速度モデルで走行するものと仮定し、これら３台の車両の速度モデルと自車両Ｍの速度とに基づいて、自車両Ｍが前走車両ｍＡと干渉せずに、将来のある時刻において前方基準車両ｍＢと後方基準車両ｍＣとの間に位置するように軌道の候補を生成する。例えば、行動計画生成部３２３は、現在の自車両Ｍの位置から、将来のある時刻における前方基準車両ｍＢの位置や、車線変更先の車線の中央、且つ車線変更の終了地点までをスプライン曲線等の多項式曲線を用いて滑らかに繋ぎ、この曲線上に等間隔あるいは不等間隔で軌道点Ｋを所定個数配置する。この際、行動計画生成部３２３は、軌道点Ｋの少なくとも１つが車線変更ターゲット位置ＴＡｓ内に配置されるように軌道を生成する。
【００６６】
各種場面において、行動計画生成部３２３は、複数の目標軌道の候補を生成し、その時点で目的地までの経路に適合する最適な目標軌道を選択する。
【００６７】
第２制御部３４０は、例えば、走行制御部３４２を備える。走行制御部３４２は、行動計画生成部３２３によって生成された目標軌道を、予定の時刻通りに自車両Ｍが通過するように、走行駆動力出力装置５００、ブレーキ装置５１０、およびステアリング装置５２０を制御する。
【００６８】
ＨＭＩ４００は、車内の乗員に対して各種情報を提示するとともに、乗員による入力操作を受け付ける。ＨＭＩ４００は、例えば、各種表示装置、発光部、スピーカ、ブザー、タッチパネル、各種操作スイッチ、キー等のうち一部または全部を含む。また、ＨＭＩ４００は、シートに着座した乗員をシートベルトによって保持するシートベルト装置の一部が含まれてよい。ＨＭＩ４００の機能の詳細については後述する。
【００６９】
走行駆動力出力装置５００は、車両が走行するための走行駆動力（トルク）を駆動輪に出力する。走行駆動力出力装置５００は、例えば、内燃機関、電動機、および変速機等の組み合わせと、これらを制御するパワーＥＣＵ（Electronic Control Unit）とを備える。パワーＥＣＵは、走行制御部３４２から入力される情報、或いは運転操作子８０から入力される情報に従って、上記の構成を制御する。
【００７０】
ブレーキ装置５１０は、例えば、ブレーキキャリパーと、ブレーキキャリパーに油圧を伝達するシリンダと、シリンダに油圧を発生させる電動モータと、ブレーキＥＣＵとを備える。ブレーキＥＣＵは、走行制御部３４２から入力される情報、或いは運転操作子８０から入力される情報に従って電動モータを制御し、制動操作に応じたブレーキトルクが各車輪に出力されるようにする。ブレーキ装置５１０は、運転操作子８０に含まれるブレーキペダルの操作によって発生させた油圧を、マスターシリンダを介してシリンダに伝達する機構をバックアップとして備えてよい。なお、ブレーキ装置５１０は、上記説明した構成に限らず、走行制御部３４２から入力される情報、或いは運転操作子８０から入力される情報に従ってアクチュエータを制御して、マスターシリンダの油圧をシリンダに伝達する電子制御式油圧ブレーキ装置であってもよい。また、ブレーキ装置５１０は、油圧や電動などの複数系統のブレーキ装置を備えていてもよい。
【００７１】
ステアリング装置５２０は、例えば、ステアリングＥＣＵと、電動モータとを備える。電動モータは、例えば、ラックアンドピニオン機構に力を作用させて転舵輪の向きを変更する。ステアリングＥＣＵは、走行制御部３４２から入力される情報、或いは運転操作子８０から入力される情報に従って、電動モータを駆動し、転舵輪の向きを変更させる。
【００７２】
なお、手動運転時には、運転操作子８０からの入力情報が、直接的に走行駆動力出力装置５００、ブレーキ装置５１０、およびステアリング装置５２０に出力される。また、運転操作子８０からの入力情報は、自動運転制御ユニット３００を介して走行駆動力出力装置５００、ブレーキ装置５１０、およびステアリング装置５２０に出力されてもよい。走行駆動力出力装置５００、ブレーキ装置５１０、およびステアリング装置５２０の各ＥＣＵは、運転操作子８０等からの入力情報に基づいて、それぞれの動作を行う。
【００７３】
［ＨＭＩ４００の構成］
以下、実施形態のＨＭＩ４００の構成例について説明する。図６は、自車両ＭにおけるＨＭＩ４００の一例を示す図である。ＨＭＩ４００は、例えば、第１の操作部４１０と、第２の操作部４２０と、発光部４３０Ｒ、４３０Ｌと、第３の操作部４４０と、第１の表示部４５０と、ＨＵＤ（Head Up Display）４６０と、第３の表示部４７０とを備える。
【００７４】
第１の操作部４１０、第２の操作部４２０、および発光部４３０Ｒ、４３０Ｌは、運転操作子８０の一つであるステアリングホイール８２に設けられている。また、ステアリングホイール８２には、把持センサ８２Ａが設けられている。把持センサ８２Ａは、例えば、ステアリングホイール８２の周方向に沿うように設けられた静電容量センサである。把持センサ８２Ａは、検出対象の領域に物体が近接または接触したことを、静電容量の変化として検出する。把持センサ８２Ａは、検出した静電容量が閾値以上である場合、所定の検出信号をマスター制御部１００の操作子状態判定部１３０に出力する。この閾値は、例えば、乗員がステアリングホイール８２を把持している場合に生じる静電容量よりも低い値に設定されている。また、把持センサ８２Ａは、閾値以上であるか否かに関わらずに、静電容量を示す検出信号を操作子状態判定部１３０に出力してもよい。
【００７５】
第１の操作部４１０は、例えば、メインスイッチ３１２と、オートスイッチ３１４とを備える。メインスイッチ３１２は、運転支援を開始可能な状態（待機状態）にするためのスイッチである。換言すれば、メインスイッチ３１２は、後述する、運転支援を実行する前の準備段階における処理（内部処理）を開始するためのスイッチ、或いは運転支援を開始可能な状態か否かを判定することを可能にするためのスイッチである。
【００７６】
メインスイッチ３１２が操作された場合、運転支援がすぐさま開始されるのではなく、手動運転下において待機状態となり運転支援を実行するための事前処理が行われる。事前処理とは、例えば、物体認識装置１６に物体認識の処理（具体的にはカルマンフィルタを用いた物標の逐次認識処理等）を予め所定時間継続させる処理である。メインスイッチ３１２が操作されて待機状態となった後（すなわち操作されてから、ある程度の時間が経過した後）に、更にオートスイッチ３１４が操作されると、最も度合の小さい第１の度合の運転支援が開始される。すなわち、オートスイッチ３１４は、手動運転から運転支援制御へと切り替えるためのスイッチである。
【００７７】
第２の操作部４２０は、画像付き通話機能（以下、テレビ電話とも称する）の提供を開始させるための操作スイッチ４２２を備える。発光部４３０Ｒ、４３０Ｌは、例えば、ステアリングホイール８２の中央のボス部から環状のリム部に向かって延びるスポーク部に配置される。発光部３３０Ｒは、ＨＭＩ制御部１２０の制御により点灯状態が制御される。
【００７８】
第３の操作部４４０は、例えば、乗員から見て手前側に突出する回動操作部４４２と、スイッチ操作部４４４とを備える。回動操作部４４２は、略円筒状に形成され、軸線回りに回転操作可能である。スイッチ操作部４４４は、回動操作部４４２の周辺や、回動操作部４４２の天面に設けられる。第３の操作部４４０は、回動操作部４４２の回転角度と回転速度を検出するエンコーダ等の図示しない回転センサと、スイッチ操作部４４４の変位を検出する図示しない変位センサとを備え、それぞれのセンサから出力される検出値をマスター制御部１００に出力する。マスター制御部１００に出力される検出値は、第３の表示部４７０の画面に出力される矢印や選択ボタン、確定ボタン等の操作や、入力文字の選択や確定等に用いられる。
【００７９】
また、第３の操作部４４０は、表示画面を指先でタッチすることによって選択や確定操作等を行う、いわゆるタッチパネル式の操作部でもよい。第３の操作部４４０の近傍には、所定の色で発光可能な発光部４４６が設けられている。
【００８０】
第１の表示部４５０は、例えば、インストルメントパネルにおける運転席の正面付近に設けられ、乗員がステアリングホイール８２の間隙から、或いはステアリングホイール８２越しに視認可能な表示装置である。第１の表示部４５０は、例えば、ＬＣＤ（Liquid Crystal Display）や有機ＥＬ（Electro Luminescence）表示装置等である。第１の表示部４５０には、自車両Ｍの手動運転時または自動運転時の走行に必要な情報、あるいは乗員への指示に関する情報が表示される。手動運転時の自車両Ｍの走行に必要な情報とは、例えば、自車両Ｍの速度、エンジン回転数、燃料残量、ラジエータ水温、走行距離、その他の情報である。一方、自動運転時における自車両Ｍの走行に必要な情報とは、例えば、自車両Ｍの将来の軌道、運転支援の度合、乗員に対する指示等の情報である。
【００８１】
ＨＵＤ４６０は、例えば、第１の表示部４５０よりも高い位置に配置される。ＨＵＤ４６０は、所定の結像部に映像を投影する。例えば、ＨＵＤ４６０は、運転席前方のフロントウインドシールドの一部に画像を投影することで、運転席に着座した乗員の眼に虚像を視認させる。ＨＵＤ４６０により投影される画像の表示領域は、第１の表示部４５０における画像の表示領域に比して小さい。これは、ＨＵＤ４６０により投影された画像によって、その先にある現実の物体を乗員が見逃すことを抑制するためである。なお、実施形態では、ＨＵＤ４６０の代わりに、自車両Ｍのフロントウインドシールドを第２の表示部４２０としてもよい。この場合、例えば、インストルメントパネルに組み込まれたＬＥＤ（Light Emitting Diode）を発光させ、フロントウインドシールドでＬＥＤの発光を反射させてもよい。
【００８２】
第３の表示部４７０は、インストルメントパネルの中央部に設けられる。第３の表示部４７０は、例えば、ＬＣＤや有機ＥＬ表示装置等である。第３の表示部４７０は、例えば、ナビゲーション装置５０により実行されるナビゲーション処理に対応する画像またはテレビ電話における通話相手を映した映像等を表示する。また、第２の表示部３６０は、テレビ番組を表示したり、ＤＶＤを再生したり、ダウンロードされた映画等のコンテンツを表示してもよい。
【００８３】
また、第３の表示部４７０には、発光部４６２が設けられてもよい。図７は、図７は、第３の表示部４７０と発光部４６２の位置関係の一つの側面（aspect）を例示した図である。例えば、発光部４７２は、第３の表示部４７０の一部または近傍に設けられる。「近傍」とは、発光部４７２と、第３の表示部４７０との最短距離が例えば数［ｃｍ］（より具体的には３［ｃｍ］程度）以下の近い範囲である。図７の例では、例えば、第３の表示部の画面形状を形成する少なくとも一つの辺に沿って延在する発光部４６２が取り付けられている。
【００８４】
図８は、第３の表示部４７０と発光部４６２の位置関係の他の側面を例示した図である。図８の例では、第３の表示部４７０は、その前方の上部にあるインストルメントパネル部のバイザー部３７４の下部に設けられる。また、発光部４６２の発光は、３７４に遮られずに、乗員により視認可能である。この形態を採用することで、バイザー部３７４が、発光部４６２に差し込む日光等の外光を遮蔽するため、乗員による発光の視認性を向上させることができる。
【００８５】
発光部４６２は、第３の表示部４７０が使用可能である場合に発光するようにＨＭＩ制御部１２０によって制御される。使用可能とは、例えば、第２の操作部４２０が操作されることで画像付通話機能に関する画面が第３の表示部４７０に表示されたり、第３の操作部４４０の操作によって、映画やテレビ番組に関する画像が第３の表示部４７０に表示されたりすることができることである。
【００８６】
図９は、第３の表示部４７０の画面の一部の領域を用いて、第３の表示部４７０が使用可能であること通知することについて説明するための図である。ＨＭＩ制御部１２０は、第３の表示部４７０の全画面領域に対して、第１の表示領域４６６と、第２の表示領域４６８とを割り当てる。第１の表示領域４６６は、第３の表示部４７０の画面全体のうち、何れかの辺に沿って延在する領域の画素領域である。ＨＭＩ制御部１２０は、第３の表示部４７０が使用可能となった場合に、第１の表示領域４６６を所定の色または模様で点灯または点滅させる。これにより、発光部４７２を設けずに第３の表示部４７０が使用可能な状態であることを乗員に通知することができる。
【００８７】
また、ＨＭＩ制御部１２０は、第２の表示領域４６８に、第２の操作部４２０または第３の操作部４４０で操作された内容、或いは操作により実行される内容を表示する。
【００８８】
［自動運転に関連するＨＭＩ４００の表示制御］
次に、自動運転に関連するＨＭＩ４００の表示制御について説明する。なお、以下に示す表示画面におけるレイアウトについては、あくまで一例であり、任意に変更可能である。レイアウトとは、配置、色彩、縮尺、その他をいう。
【００８９】
図１０は、手動運転から運転支援に切り替えられた後、運転支援による車線変更が実行されるまでの各種場面を示す図である。図１０の例において、場面（１）は、自車両Ｍが手動運転により一般道路から高速道路に進入する場面である。場面（２）は、手動運転から第１の度合の運転支援に切り替わる場面である。場面（３）は、自車両Ｍが自動運転制御により車線変更を実行する場面である。以下場面（１）〜（３）のそれぞれの場面に対応する表示制御について説明する。
【００９０】
＜場面（１）＞
場面（１）は、例えば、高速道路に進入する前の場面である。この場面では、第１の操作部４１０のメインスイッチ３１２およびオートスイッチ３１４が操作されていないため、運転支援が実行されず、手動運転が行われる。この場合、運転支援が実行されず、手動運転が行われる。手動運転が行われる場合、ＨＭＩ制御部１２０は、運転席の乗員が運転操作子８０を用いて、自車両Ｍを手動運転するために必要な情報を第１の表示部４５０に画像として表示させる。また、ＨＭＩ制御部１２０は、第１の表示部４５０に表示されている情報のうち一部の情報をＨＵＤ４６０に画像として表示させる。この場合の画面を図１１に示す。
【００９１】
図１１は、手動運転時に表示される第１画面ＩＭ１−１および第２画面ＩＭ２−１の一例を示す図である。第１画面ＩＭ１−１は、第１の表示部４５０により表示される画面であり、第２画面ＩＭ２−１は、ＨＵＤ４６０により投影されることで乗員の眼に映る画面である。ＨＭＩ制御部１２０は、第１画面ＩＭ１−１に、手動運転時の自車両Ｍの走行に必要な情報として、例えば、自車両Ｍのバッテリ残量、回転速度、シフトポジション、室内気温、走行距離、走行速度、燃料残量等の情報を表示させる。 また、ＨＭＩ制御部１２０は、第２画面ＩＭ２−１に、第１画面ＩＭ１−１に表示された画像のうち、速度の情報を、第１画面ＩＭ１−１よりも小さく表示させる。前述したように、ＨＵＤ４６０により投影されることで乗員の眼に映る画像の認識領域は、第１の表示部４５０による画像の表示領域に比して小さい。このため、ＨＭＩ制御部１２０は、第１の表示部４５０に、自車両Ｍの運転支援に関する比較的詳細な第１の情報（詳細情報）を表示させ、ＨＵＤ４６０には、詳細情報よりも簡易な情報であって、運転支援に関する第２の情報（簡易情報）を表示させる。なお、第２の情報は、第１の情報のうち、重要度の高い情報や緊急性の高い情報であってよい。
【００９２】
例えば、ＨＭＩ制御部１２０は、詳細情報の一部を抜粋した情報を簡易情報としてＨＵＤ４６０に表示させる。例えば、図１１において、ＨＭＩ制御部１２０は、第１画面ＩＭ１−１に表示された詳細の情報のうち、自車両Ｍの速度を示す情報を抜粋し、抜粋した情報を第２画面ＩＭ２−１に表示させる。このように、第１の表示部４５０に詳細情報を表示させ、ＨＵＤ４６０に簡易情報を表示させることで、運転支援に関する情報を適切に提供すると共に、乗員の眼を疲れさせないようにすることができる。
【００９３】
＜場面（２）＞
場面（２）では、自車両Ｍが高速道路に進入している。ＨＭＩ制御部１２０は、乗員によりメインスイッチ３１２が操作されたことを受け付けると、第１の表示部４５０およびＨＵＤ４６０に表示される画面を変更する。変更後の画面を、図１２に示す。
【００９４】
図１２は、メインスイッチ３１２が操作されたことで表示される第３画面ＩＭ３−１および第４画面ＩＭ４−１の一例を示す図である。第３画面ＩＭ３−１は、第１の表示部４５０により表示される画面であり、第４画面ＩＭ４−１は、ＨＵＤ４６０により投影される画面である。以下の図面に示す第３画面ＩＭ３−Ｘ（Ｘは任意の自然数）および第４画面ＩＭ４−Ｘについても同様とする。第３画面ＩＭ３−Ｘおよび第４画面ＩＭ４−Ｘは、運転支援が実行可能な状態および運転支援が実行中の状態において継続的に表示される。
【００９５】
第３画面ＩＭ３−１には、運転支援を開始可能な状態（待機状態）であることを表示する領域として、周辺検知情報表示領域６００−１、運転支援状態表示領域６２０−１、および運転支援開始操作ガイド領域６４０−１が含まれている。以下、第３画面ＩＭ３−Ｘにおけるそれぞれの領域を周辺検知情報表示領域６００−Ｘ、運転支援状態表示領域６２０−Ｘ、および運転支援開始操作ガイド領域６４０−Ｘと称する。
【００９６】
ＨＭＩ制御部１２０は、周辺検知情報表示領域６００−１に、例えば、第２地図情報６２から取得した自車両Ｍが走行している道路形状を示す画像と、自車位置認識部３２２により認識された自車両Ｍを示す画像と、外界認識部３２１により認識された周辺車両ｍを示す画像とを表示させる。なお、ＨＭＩ制御部１２０は、外界認識部３２１により認識された全ての周辺車両ｍを示す画像を第１の表示部４５０に表示させる。また、ＨＭＩ制御部１２０は、外界認識部３２１により認識された全ての周辺車両ｍのうち、自車両Ｍの将来の軌道に影響を与える周辺車両ｍのみを第１の表示部４５０に表示させてもよい。これにより、乗員が監視する対象の車両を減らすことができ、監視負担を軽減することができる。
【００９７】
また、ＨＭＩ制御部１２０は、運転支援状態表示領域６２０−１に、自車両Ｍが実行可能な運転支援（自動運転を含む）の度合を示す情報を表示させる。図１２の例では、運転支援の度合を示す情報として、「Ａｓｓｉｓｔ」、「Ｈａｎｄｓ  Ｏｆｆ（ハンズオフ）」、「Ｅｙｅｓ  Ｏｆｆ（アイズオフ）」の３つのインジケータを示す画像６２１が示されている。それぞれのインジケータ単体で、または複数のインジケータの組み合わせによって、運転支援の度合が表される。
【００９８】
インジケータ「Ａｓｓｉｓｔ」は、第１の度合の運転支援が実行されている状態（オン状態）、或いは、第１の度合の運転支援に遷移可能な状態（オフ状態）であることを示すインジケータである。
【００９９】
インジケータ「Ｈａｎｄｓ  Ｏｆｆ」とは、第２の度合の運転支援が実行されている状態（オン状態）、或いは、第２の度合の運転支援に遷移可能な状態（オフ状態）であることを示すインジケータである。
【０１００】
インジケータ「Ｅｙｅｓ  Ｏｆｆ」は、第３の度合の運転支援が実行されている状態（オン状態）、或いは、第３の度合の運転支援に遷移可能な状態（オフ状態）であることを示すインジケータである。
【０１０１】
これらのインジケータは、運転支援が実行されている状態と運転支援に遷移可能な状態とのそれぞれに対応するインジケータが用意されてもよい。各度合の運転支援が実行されているのか、或いは、各度合の運転支援に遷移可能な状態であるかについては、後述する要求動作通知画像６２２によって把握することができる。各インジケータは、例えば、対応する度合の運転支援が実行されている場合、ハイライト表示され、対応する度合の運転支援に遷移可能な場合、グレーアウト表示される。図１２の例では、全てのインジケータがグレーアウト表示されていることから、いずれの度合の運転支援が実行されていない、すなわち手動運転であることを示している。
【０１０２】
また、ＨＭＩ制御部１２０は、運転支援状態表示領域６２０−１に、「Ａｓｓｉｓｔ」、「Ｈａｎｄｓ  Ｏｆｆ」、「Ｅｙｅｓ  Ｏｆｆ」の３つのインジケータを示す画像６２１に対応する表示位置で、要求動作通知画像６２２を表示させる。「対応する」とは、横並び、縦並び、対応付けを示すガイドラインがある等、人によって対応関係が認識可能な様をいう。一例として「インジケータの画像６２１に対応する表示位置」とは、画像６２１に隣接する表示位置であり、画像６２１の表示位置を基準として上下左右の少なくとも一方に数［ｃｍ］以下（例えば、３［ｃｍ］以下）の表示位置を示す。要求動作通知画像６２２は、例えば、乗員が運転操作子８０に対して行う所定の動作を示す画像である。要求動作通知画像６２２は、例えば、運転操作子８０を示す画像と、乗員の所定の部位を示す画像とを含む。要求動作通知画像６２２は、例えば、ステアリングホイール８２と乗員の手との位置関係を模式的に示す画像である。
【０１０３】
ＨＭＩ制御部１２０は、運転支援開始操作ガイド領域６４０−１に、運転支援を開始させるための乗員の操作について案内する情報を表示させる。図１２の例では、運転支援開始操作ガイド領域６４０−１において、乗員がオートスイッチ４１４を操作することで運転支援が開始されることが案内される。
【０１０４】
ＨＭＩ制御部１２０は、乗員がオートスイッチ４１４を操作することで運転支援が開始されることを運転支援開始操作ガイド領域６４０−１に表示することに加えて、或いは代えて、乗員がオートスイッチ４１４を操作することで運転支援が開始される旨を示す音声をＨＭＩ４００に含まれるスピーカから出力させてもよい。
【０１０５】
周辺検知情報表示領域６００−１、運転支援状態表示領域６２０−１、および運転支援開始操作ガイド領域６４０−１のそれぞれに表示される情報の少なくとも一部は、他の表示領域に表示されてもよい。また、第３画面ＩＭ３−１には、自車両Ｍの走行距離、車内温度、燃料、速度、シフトポジションに関する情報が示されていてもよい。
【０１０６】
ＨＭＩ制御部１２０は、第３画面ＩＭ３−１に表示された詳細情報に対して、ＨＵＤ４６０の第４画面ＩＭ４−１に、詳細情報の一部を抜粋した簡易情報を表示させる。ＨＵＤ４６０の第４画面ＩＭ４−１には、第１の表示部４５０の第３画面ＩＭ３−１に表示される運転支援に関する情報のうち、自車両Ｍの前方の道路形状に関する情報および自車両Ｍの速度を示す情報が表示される。
【０１０７】
図１２に示す状態において、乗員によりオートスイッチ３１４が操作されたことを検知すると、マスター制御部１００は、運転支援制御部２００に第１の度合の運転支援を実行させる。また、ＨＭＩ制御部１２０は、第１の表示部４５０およびＨＵＤ４６０に表示する画面を、例えば図１３に示す画面に変更する。
【０１０８】
図１３は、オートスイッチ３１４が操作されたときに、第１の表示部４５０およびＨＵＤ４６０に表示される画面ＩＭ３−２およびＩＭ４−２の一例を示す図である。ＨＭＩ制御部１２０は、実行されている運転支援の度合を示す画像を、他の運転支援の度合を示す画像と識別可能に表示させる（例えばハイライト表示とグレーアウト表示）。例えば、ＨＭＩ制御部１２０は、第３画面ＩＭ３−２の運転支援状態表示領域６２０−２に、第１の度合の運転支援に対応した「Ａｓｓｉｓｔ」のインジケータがハイライト表示させる。これにより、乗員は、第１の度合の運転支援が行われていることを把握することができる。
【０１０９】
ここで、ＨＭＩ制御部１２０は、要求動作通知画像６２２として、「Ｈａｎｄｓ  Ｏｆｆ」に対応する運転支援の度合（自動運転）に移行するために必要な動作を乗員に要求する動画像を要求動作通知画像６２２として表示させる。動画像とは、例えば、所定の物体が時間経過に伴って動的に移動する動的オブジェクトを含む画像である。また、動画像には、アニメーションが含まれてよい。
【０１１０】
例えば、ＨＭＩ制御部１２０は、第１の度合の運転支援が実行中であって、且つ、第２の度合の運転支援が実行可能である場合に、第２の度合の運転支援に切り替えさせるための乗員の操作方法に関する情報として、乗員の手をステアリングホイール８２から離した状態にするための乗員の操作内容を模式的に示した要求動作通知画像６２２を、第３画面ＩＭ３−２の運転支援状態表示領域６２０−２に表示させる。
【０１１１】
例えば、ＨＭＩ制御部１２０は、第１の度合の運転支援が実行中であって、且つ、第２の度合の運転支援が実行可能である場合に、第２の度合の運転支援に切り替えさせるための乗員の操作方法に関する情報として、乗員の手をステアリングホイール８２から離した状態にするための乗員の操作内容を模式的に示した要求動作通知画像６２２を、第３画面ＩＭ３−２の運転支援状態表示領域６２０−２に表示させる。
【０１１２】
また、ＨＭＩ制御部１２０は、アクセルペダルと乗員の足との位置関係を模式的に示す画像、或いは、ブレーキペダルと乗員の足との位置関係を模式的に示す画像を要求動作通知画像６２３として、第３画面ＩＭ３−２の運転支援状態表示領域６２０−２に表示させてもよい。
【０１１３】
また、ＨＭＩ制御部１２０は、要求動作通知画像６２２に対応する動作を乗員が実行することで、運転支援が開始される旨を示す情報を、周辺検知情報表示領域６００−２に表示させてもよい。図１３の例では、周辺検知情報表示領域６００−２に、ステアリングホイール８２（図では「ハンドル」）から手を離すことで運転支援（図では「自動走行」）が開始される旨の情報が表示される。
【０１１４】
また、ＨＭＩ制御部１２０は、ステアリングホイール８２から手を離す動作を乗員に要求する場合に、ステアリングホイール８２に設けられた発光部４３０Ｒ、４３０Ｌを点灯または点滅させてもよい。
【０１１５】
また、ＨＭＩ制御部１２０は、ステアリングホイール８２から手を離す動作を乗員に要求する場合に、その旨を示す音声をＨＭＩ４００に含まれるスピーカから出力させてもよい。ＨＭＩ制御部１２０は、ステアリングホイール８２から手を離す動作に対応する要求動作通知画像６２２の表示、発光部４３０Ｒ、４３０Ｌの点灯または点滅、音声出力の複数を組み合わせて各種機器より出力させてもよい。
【０１１６】
ＨＭＩ制御部１２０は、ＨＵＤ４６０の第４画面ＩＭ４−２に、第４画面ＩＭ４−１と同様の情報を表示させる。
【０１１７】
ここで、操作子状態判定部１３０は、把持センサ８２Ａから入力される検出信号の有無に基づいて、乗員がハンズオン状態であるのかまたはハンズオフ状態であるのか否かを判定する。例えば、操作子状態判定部１３０は、把持センサ８２Ａから検出信号が入力されると、乗員がハンズオン状態であると判定し、検出信号が入力されないと、乗員がハンズオフ状態であると判定する。また、操作子状態判定部１３０は、例えば、把持センサ８２Ａから入力される検出信号の信号強度などに基づいて、静電容量が閾値以上変化したか否かを判定し、静電容量が閾値以上変化した場合に、乗員がハンズオン状態であると判定してもよい。把持センサ８２Ａおよび操作子状態判定部１３０は、「第１検出部」の一例である。
【０１１８】
また、操作子状態判定部１３０は、静電容量に代えて、或いは加えて、ステアリングホイール８２のシャフトに与えられる操舵トルクや、ステアリングホイール８２が把持されたときの乗員の握力（ホイールに加えられた圧力）、ステアリング装置５２０における電動モータの制御量（操舵量）に基づいて、乗員がハンズオン状態であるのかまたはハンズオフ状態であるのか否かを判定してもよい。
【０１１９】
マスター制御部１００の切替制御部１１０は、オートスイッチ４１４が操作されたことを受けて、運転支援の度合を第１の度合に切り替えた後、操作子状態判定部１３０により乗員がハンズオフ状態であると判定されるまで、運転支援の度合として第１の度合を維持する。一方、切替制御部１１０は、第２の度合の運転支援に移行するための諸条件を満たし、且つ、操作子状態判定部１３０により乗員がハンズオフ状態であると判定された場合、運転支援の度合を第１の度合から第２の度合に切り替える。このような制御によって、乗員がハンズオフ状態になるまでは運転支援制御部２００が運転支援制御を行い、乗員がハンズオフ状態になると運転支援制御部２００から自動運転制御ユニット３００に制御権が移行し、自動運転制御ユニット３００が自動運転制御を開始する。
【０１２０】
運転支援の度合が第２の度合であるときに自動運転制御ユニット３００が自動運転制御を実行する場合、ＨＭＩ制御部１２０は、第１の表示部４５０およびＨＵＤ４６０に表示する画面を、例えば図１４に示す画面に変更する。
【０１２１】
図１４は、第２の度合の運転支援において、第１の表示部４５０およびＨＵＤ４６０に表示される画面の一例を示す図である。ＨＭＩ制御部１２０は、第３画面ＩＭ３−３の運転支援状態表示領域６２０−３に、第２の度合の運転支援に対応した「Ｈａｎｄｓ  Ｏｆｆ」のインジケータをハイライト表示させる。これにより、乗員は、第２の度合の運転支援が行われていることを把握することができる。
【０１２２】
また、ＨＭＩ制御部１２０は、周辺検知情報表示領域６００−３に、例えば、第２地図情報６２から取得した自車両Ｍの前方の道路形状を示す画像と、自車位置認識部３２２により認識された自車両Ｍを示す画像と、外界認識部３２１により取得した周辺車両ｍを示す画像と、行動計画生成部３２３により生成された自車両Ｍの将来の軌道を示す将来軌道画像６０２とを表示させる。また、ＨＭＩ制御部１２０は、周辺検知情報表示領域６００−３に、第２の度合における運転支援（図では「自動走行」）を開始するが、乗員に周辺の交通状況を継続して監視させる旨の情報を表示させる。
【０１２３】
マスター制御部１００の乗員状態監視部１４０は、運転支援の度合が第２の度合である場合、乗員が周辺監視義務を果たしているかどうかを確認するために、車室内カメラ９０の撮像画像に基づいて、乗員がアイズオン状態であるのかアイズオフ状態であるのかを判定する。例えば、乗員状態監視部１４０の画像処理部１４０Ａは、車室内カメラ９０の撮像画像から乗員の顔が含まれる画像領域を抽出し、抽出した画像領域において乗員の瞳孔や虹彩、目頭等の位置を基に乗員の視線の向き、或いは顔の向きを検出する。このとき、画像処理部１４０Ａは、人の顔画像から視線や顔の向きを検出するように予め学習されたニューラルネットワークなどを利用して、自車両Ｍの乗員の視線の向きや顔の向きを検出してよい。
【０１２４】
例えば、乗員状態監視部１４０の監視判定部１４０Ｂは、運転支援の度合が第２の度合である場合、画像処理部１４０Ａにより検出された顔または視線の向きが、ある向きを基準とした第１角度範囲Δθ１内であるか否かを判定し、乗員の顔や視線の向きが第１角度範囲Δθ１内であれば、乗員がアイズオン状態であると判定し、そうでなければ乗員がアイズオフ状態であると判定する。第１角度範囲Δθ１の基準となる「ある向き」とは、例えば、運転席のシートに乗員が着座したとき、その乗員が正面（フロントウィンドウシールド側）を向いたときの顔または視線の向きである。例えば、第１角度範囲Δθ１は、その向きを基準に、車幅方向（乗員から見て左右方向）に関して所定角度をとったときの角度範囲として定められる。
【０１２５】
監視判定部１４０Ｂにより乗員がアイズオン状態であると判定された場合、すなわち、乗員が周辺監視義務を果たしている場合、切替制御部１１０は、運転支援の度合として第２の度合を維持する。このとき、図１４に示すように、第１の表示部４５０の第３画面ＩＭ３−１の運転支援開始操作ガイド領域６４０−３には何も表示されず、ＨＵＤ４６０の第４画面ＩＭ４−３には、図１３の第４画面ＩＭ４−２と同様の情報に加えて、新たに自車両Ｍの将来の軌道６０２に関する情報が表示される。
【０１２６】
一方、監視判定部１４０Ｂにより乗員がアイズオフ状態であると判定された場合、すなわち、乗員が周辺監視義務を果たしていない場合、ＨＭＩ制御部１２０は、ＨＭＩ４００の第１の表示部４５０や第３の表示部４７０に画像を表示させたり、スピーカに音声を出力させたりすることで、乗員に周辺監視をするよう警告する。アイズオフ状態が所定時間以上継続した場合、切替制御部１１０は、運転支援の度合を第２の度合から第１の度合に切り替えることで、運転支援制御部２００に運転支援制御を行わせてよい。
【０１２７】
また、切替制御部１１０は、監視判定部１４０Ｂにより乗員がアイズオフ状態であると判定されてからアイズオフ状態が所定時間以上継続した場合、自動運転制御ユニット３００に第２の度合に応じた自動運転制御を行わせるのではなく、代替制御を行わせてよい。代替制御とは、例えば、自車両Ｍを徐々に減速させながら路肩などの停止可能なエリアに停車させる自動運転制御である。これによって、例えば、乗員が意識を失っていて周辺監視を行えないような場合に、乗員の操作なしで自車両Ｍを停止させることができる。
【０１２８】
また、監視判定部１４０Ｂは、運転支援の度合が第３の度合である場合、乗員に周辺監視義務が課されないものの、第３の度合の運転支援から周辺監視義務が課される運転支援に切り替わった場合、乗員が速やかに周辺監視を行う必要があるため、乗員がどの程度覚醒しているのかといった監視を継続する。例えば、運転支援の度合が第３の度合の場合、周辺環境の変化に応じて第２の度合の運転支援などのより度合の小さい運転支援へと移行する可能性があることから、システム側から周辺監視の要請があった場合に備えて、乗員は速やかに周辺監視へと移れる態勢でいることが求められる。従って、監視判定部１４０Ｂは、乗員に周辺監視義務が課されない間も、乗員の監視を継続して、乗員が速やかに周辺監視を行える状態か否かを判定する。
【０１２９】
例えば、監視判定部１４０Ｂは、画像処理部１４０Ａにより検出された顔または視線の向きが、第１角度範囲Δθ１よりも広い第２角度範囲Δθ２内であるか否かを判定し、乗員の顔や視線の向きが第２角度範囲Δθ２内であれば、乗員が速やかに周辺監視を行える状態であると判定する。
【０１３０】
図１５は、自車両Ｍを上から見た時の車室内の構造を模式的に示す図である。図中ＳＴＤは、運転席のシートを表し、矢印Ｖは、第１角度範囲Δθ１の基準となる向き（方向）を表している。例えば、第１角度範囲Δθ１は、自車両Ｍを上から見た時に、その角度範囲に第１の表示部４５０が含まれるように決定される。また、第２角度範囲Δθ２は、自車両Ｍを上から見た時に、その角度範囲に第１の表示部４５０と第３の表示部４７０の双方が少なくとも含まれるように決定される。なお、図示のように、第１角度範囲Δθ１および第２角度範囲Δθ２は、方向Ｖを基準に左右対称である必要はなく、いずれか一方に角度範囲が偏していてもよい。
【０１３１】
監視判定部１４０Ｂにより乗員が速やかに周辺監視を行える状態であると判定された場合、切替制御部１１０は、運転支援の度合として第３の度合を維持する。一方、監視判定部１４０Ｂにより乗員が速やかに周辺監視を行えない状態であると判定された場合、ＨＭＩ制御部１２０は、ＨＭＩ４００の第１の表示部４５０や第３の表示部４７０に画像を表示させたり、スピーカに音声を出力させたりすることで、少なくとも第１の表示部４５０や第３の表示部４７０が視界に入るような態勢をとるよう乗員に警告する。周辺監視を行えない状態が所定時間以上継続した場合、切替制御部１１０は、運転支援の度合を第３の度合から第２の度合に切り替えてよい。
【０１３２】
また、乗員状態監視部１４０は、運転支援の度合が第２の度合である場合、乗員がどの程度覚醒しているのかを判定してもよい。例えば、監視判定部１４０Ｂは、画像処理部１４０Ａが車室内カメラ９０の撮像画像から乗員の瞳孔や虹彩を検出できなかった時間、すなわち乗員が目を閉じている時間を計時し、その時間が長いほど乗員の覚醒度が低いと判定する。また、監視判定部１４０Ｂは、運転席のシートＳＴＤに設けられた圧力センサ（不図示）による検出結果に基づいて、乗員の覚醒の有無を判定してもよい。例えば、圧力センサにより検出された圧力の変化が閾値以下である場合、監視判定部１４０Ｂは、乗員が覚醒していないと判定する。車室内カメラ９０および乗員状態監視部１４０は、「第３検出部」の一例である。
【０１３３】
切替制御部１１０は、乗員状態監視部１４０の判定処理の過程で求められた乗員の覚醒度に応じて、第２の度合の運転支援を継続するのか、または他の度合の運転支援や手動運転に切り替えるのかを決定する。例えば、乗員が覚醒しているときの覚醒度を１とし、覚醒していないときの覚醒度を０とした場合、切替制御部１１０は、覚醒度の数値がある閾値（例えば０．５程度）以上であれば、その乗員が覚醒しているものと判断し、運転支援の度合を第２の度合として継続する。
【０１３４】
＜場面（３）＞
場面（３）では、第２の度合の運転支援時に自動運転制御ユニット３００が自動運転制御により自車両Ｍを車線変更させる様子を示している。この場合、ＨＭＩ制御部１２０は、第１の表示部４５０およびＨＵＤ４６０に、車線変更の自動運転制御に対応した画面を表示させる。
【０１３５】
例えば、ＨＭＩ制御部１２０は、自動運転制御ユニット３００により実行される自車両Ｍの車線変更イベントの発生を示す画像を自車両Ｍの挙動が変化する前の第１のタイミング（例えば、挙動が変化する５秒前）において第１の態様で表示させる。
【０１３６】
図１６は、自車両Ｍの挙動が変化する前の第１のタイミングにおいて表示される第３画面ＩＭ３−４および第４画面ＩＭ４−４の一例を示す図である。ＨＭＩ制御部１２０は、第３画面ＩＭ３−４の周辺検知情報表示領域６００−４に、周辺検知情報表示領域６００−３で表示された内容に加えて、例えば、自車用Ｍが車線変更する方向を示す旨を示す画像６０４を表示させる。図１６の例では、自車両Ｍが走行車線に隣接する右車線に車線変更する画像６０４が表示される。
【０１３７】
画像６０４は、例えば、テキストを含まない画像である。図１６の例において、画像６０４は道路幅方向に沿って自車両Ｍの進路変更方向を示す図形である。ＨＭＩ制御部１２０は、例えば、自車両Ｍの進路変更方向を示す図形に外枠を付与し、付与した外枠画像を第１の表示部４５０に表示させる。また、ＨＭＩ制御部１２０は、画像６０４を複数の領域に区分し、区分された複数の領域のそれぞれに外枠を付与して表示させる。また、ＨＭＩ制御部１２０は、複数の区分されたそれぞれの領域の外枠を、自車両Ｍの進路変更方向に沿って順番に表示させたアニメーションで表示させてもよい。
【０１３８】
また、ＨＭＩ制御部１２０は、運転支援状態表示領域６２０−４に、自車両Ｍの進路変更を示すウインカインジケータ６２４を表示させる。ウインカインジケータ６２４は、例えば、進路変更方向を示す矢印等の図形である。ＨＭＩ制御部１２０は、ウインカインジケータ６２４を、画像６０４を表示させる第１のタイミングに同期したタイミングで第１の表示部４５０に表示させる。
【０１３９】
ＨＭＩ制御部１２０は、ＨＵＤ４６０の第４画面ＩＭ４−４に、第４画面ＩＭ４−３と同様の情報を表示させる。
【０１４０】
また、ＨＭＩ制御部１２０は、第１のタイミングよりも後のタイミングであって自車両Ｍの挙動が変化する前の第２のタイミング（例えば、挙動が変化する２秒前）において画像６０４を強調表示した画像を周辺検知情報表示領域６００−４に表示させる。
【０１４１】
図１７は、自車両Ｍの挙動が変化する前の第２のタイミングにおいて表示される第３画面ＩＭ３−５および第４画面ＩＭ４−５の一例を示す図である。ＨＭＩ制御部１２０は、第３画面ＩＭ３−５の周辺検知情報表示領域６００−５に、画像６０４を強調表示した画像６０６を表示させる。ＨＭＩ制御部１２０は、例えば、画像６０４の外枠の中を発色させた表示態様を周辺検知情報表示領域６００−５に表示させる。また、ＨＭＩ制御部１２０は、画像６０４において区分された複数の領域のそれぞれの外枠に対して、自車両Ｍの進路変更方向に沿って順番に強調表示されるようにアニメーションで表示させてもよい。また、ＨＭＩ制御部１２０は、第１のタイミングで画像６０６を表示させ、第２のタイミングで画像６０６を点滅表示させてもよい。また、ＨＭＩ制御部１２０は、第１のタイミングで画像６０６を表示させ、第２のタイミングで画像６０６を、第１のタイミングで表示させた色より目立つ色で表示させてもよい。これにより、乗員に進路変更方向を直感的に把握させることができる。
【０１４２】
また、ＨＭＩ制御部１２０は、周辺検知情報表示領域６００−５に表示させた将来軌道画像６０２を、第２のタイミングに同期したタイミングで進路変更方向に対応する方向に変化させる。これにより、乗員は、自車両Ｍの車線変更における挙動の変化が開始されることを直感的に把握することができる。
【０１４３】
ＨＭＩ制御部１２０は、ＨＵＤ４６０の第４画面ＩＭ４−５に、第４画面ＩＭ４−４と同様の情報を表示させる。また、ＨＭＩ制御部１２０は、ＨＵＤ４６０の第４画面ＩＭ４−５に表示させる将来軌道画像６０２を、第２のタイミングに同期したタイミングで進路変更に対応する方向に変化して表示させる。
【０１４４】
上述したように、第２の度合の運転支援時に自動運転制御によって車線変更が開始される場合、すなわち自車両Ｍの進路方向が変更される場合、乗員状態監視部１４０は、自車両Ｍの将来の進行方向に応じて、第１角度範囲Δθ１の基準とする向き（方向）と、第１角度範囲Δθ１とのうち一方または双方を変更してよい。
【０１４５】
図１８は、車線変更開始時に第１角度範囲Δθ１の基準とする向きが変更される様子を模式的に示した図である。例えば、図示のように、右側の隣接車線に車線変更することが予定されている場合、図１８に示すように、第１の表示部４５０には自車両Ｍの進路方向を示す軌道が表示されるため、乗員が正面監視を止めて進路方向先を監視することが想定される。従って、乗員状態監視部１４０は、自車両Ｍの進路方向側（右手側）に第１角度範囲Δθ１の基準とする方向Ｖを傾けることで、乗員が監視することが想定される方向に第１角度範囲Δθ１を移動させる。これによって、乗員が正面から視線を外した場合であっても、周辺監視が継続していると判定される。なお、乗員状態監視部１４０は、第１角度範囲Δθ１を自車両Ｍの進路方向側に広げることで、車線変更時に乗員が正面から視線を外すことに対応してもよい。
【０１４６】
＜場面（１）〜（３）に対応する処理フロー＞
図１９は、場面（１）〜（３）において、マスター制御部１００により実行される処理の流れの一例を示すフローチャートである。本フローチャートの処理は、手動運転時に実行される。
【０１４７】
まず、ＨＭＩ制御部１２０は、メインスイッチ４１２が操作されたか否かを判定する（ステップＳ１００）メインスイッチ４１２が操作されていないと判定した場合、ＨＭＩ制御部１２０は、第１の表示部４５０に第１画面ＩＭ１−１を表示させ（ステップＳ１０２）、ＨＵＤ４６０に第２画面ＩＭ２−１を表示させる（ステップＳ１０４）。
【０１４８】
一方、メインスイッチ４１２が操作されたと判定した場合、ＨＭＩ制御部１２０は、第１の表示部４５０に第３画面ＩＭ３−１を表示させ（ステップＳ１０６）、ＨＵＤ４６０に第４画面ＩＭ４−１を表示させる（ステップＳ１０８）。
【０１４９】
次に、切替制御部１１０は、オートスイッチ４１４が操作されたか否かを判定する（ステップＳ１１０）。オートスイッチ４１４が操作されたと判定した場合、切替制御部１１０は、手動運転から第１の度合に切り替えることで、運転支援制御部２００に運転支援制御を開始させる（ステップＳ１１２）。
【０１５０】
次に、ＨＭＩ制御部１２０は、第３画面ＩＭ３−１および第４画面ＩＭ４−１に第１の度合の運転支援が実行されていることを示す画像を表示する（ステップＳ１１４）。次に、ＨＭＩ制御部１２０は、第３画面ＩＭ３−２に第２の度合の運転支援を移行するための情報を表示する（ステップＳ１１６）。
【０１５１】
次に、操作子状態判定部１３０は、乗員がハンズオフ状態であるか否かを判定する（ステップＳ１１８）。操作子状態判定部１３０により乗員がハンズオン状態であると判定された場合、切替制御部１１０は、Ｓ１１２の処理に戻り、運転支援の度合として第１の度合を維持する。
【０１５２】
一方、操作子状態判定部１３０により乗員がハンズオフ状態であると判定された場合、監視判定部１４０Ｂは、乗員の顔または視線の向きが、第１角度範囲Δθ１内であるか否かを判定する（ステップＳ１２０）。
【０１５３】
監視判定部１４０Ｂにより乗員の顔または視線の向きが第１角度範囲Δθ１内でないと判定された場合、すなわち、乗員がアイズオフ状態である場合、切替制御部１１０は、Ｓ１１２の処理に戻り、運転支援の度合として第１の度合を維持する。
【０１５４】
また、監視判定部１４０Ｂは、画像処理部１４０Ａにより乗員の顔や視線の向きが所定時間以上検出されない場合、乗員がアイズオフ状態であると判定してもよい。
【０１５５】
一方、監視判定部１４０Ｂにより乗員の顔または視線の向きが第１角度範囲Δθ１内であると判定された場合、すなわち、乗員がアイズオン状態である場合、切替制御部１１０は、運転支援の度合を第１の度合から第２の度合に切り替える（ステップＳ１２２）。
【０１５６】
次に、ＨＭＩ制御部１２０は、第１の表示部４５０の第３画面ＩＭ３−３に、第２の度合の運転支援が実行されていることを示す画像を表示させる（ステップＳ１２４）。これにより、本フローチャートの処理が終了する。
【０１５７】
次に、第２の度合の運転支援に移行した後の場面（４）〜（６）について説明する。図２０は、第２の度合の運転支援から第３の度合の運転支援に切り替わり、その後、第３の度合の運転支援から第２の度合の運転支援に切り替わるまでの各種場面を示す図である。図２０の例において、場面（４）は、自車両Ｍが渋滞中の周辺車両ｍに追従することで、第２の度合の運転支援から第３の度合の運転支援に切り替わる場面である。
【０１５８】
場面（５）は、第３の度合の運転支援の一例である低速追従走行（ＴＪＰ；Traffic Jam Pilot）が実行されている場面である。低速追従走行とは、所定速度以下で前走車両に追従する制御態様である。所定速度とは、上述したように、例えば、６０［ｋｍ／ｈ］である。低速追従走行は、前走車両ｍの速度が所定速度以下であり、且つ前走車両ｍとの車間距離が所定距離（例えば、５０［ｍ］程度）以内であるときに発動する。低速追従走行では、混雑した道路で前走車両に追従するという、比較的容易な自動運転制御を継続することで、乗員に周辺監視義務を課さない自動運転、或いは乗員に義務として課す周辺監視の度合を低下させた自動運転を実現することができる。「周辺監視の度合を低下させた」とは、上述したように第１角度範囲Δθ１を第２角度範囲Δθ２まで拡大し、乗員の顔や視線の向きとして許容する空間を大きくすることで、周辺監視義務がより継続され易くすることである。また、例えば、低速追従走行では、制御開始から所定時間（例えば５秒間）経過するまでは周辺監視を不要とすることで、周辺監視義務の度合を低下させてもよい。なお、低速追従走行は、所定速度以下、または前走車両に追従していることのいずれか一方を発動条件としてもよい。
【０１５９】
場面（６）は、第３の度合の運転支援から第２の度合の運転支援に切り替わる場面である。以下、場面（４）〜（６）のそれぞれの場面に対応する表示制御について説明する。
【０１６０】
＜場面（４）＞
場面（４）では、自動運転制御ユニット３００は、まだ低速追従走行に至らず、自車両Ｍの加速制御を行っている。この場合、ＨＭＩ制御部１２０は、第１の表示部４５０またはＨＵＤ４６０の一方または双方に、運転支援に対応する画面を表示させる。
【０１６１】
図２１は、自車両Ｍの加速制御時に表示される第３画面ＩＭ３−６および第４画面ＩＭ４−６の一例を示す図である。この図に示す場面では、まだ低速追従走行の発動条件を満たしていない。ＨＭＩ制御部１２０は、第３画面ＩＭ３−６の周辺検知情報表示領域６００−６に、加速制御が実行されていることを示す画像６０８を表示させる。画像６０８は、自車両Ｍの加速を示す図形である。画像６０８は、自車両Ｍを示す画像の前方に表示される。この場合、ＨＭＩ制御部１２０は、自車両Ｍが加速する前の第１のタイミングにおいて、画像６０８の外枠を付与した第１の表示態様で表示させ、自車両Ｍが加速する前の第２のタイミングにおいて、画像の外枠の中を着色する第２の表示態様で表示させてもよい。また、ＨＭＩ制御部１２０は、加速時には、画像６０８が自車両の進行方向に向かって移動するようなアニメーションを表示させてもよい。この逆に、ＨＭＩ制御部１２０は、減速時には、画像６０８が自車両に向かって移動するようなアニメーションを表示させてもよい。これにより、乗員は、自車両Ｍの加速制御が実行されていることを直観的に把握することができる。
【０１６２】
＜場面（５）＞
場面（５）では、切替制御部１１０が運転支援の度合を第２の度合から第３の度合に切り替えおり、更に自動運転制御ユニット３００によって低速追従走行が実行されている。この場合、ＨＭＩ制御部１２０は、第１の表示部４５０およびＨＵＤ４６０に、第３の度合の運転支援（低速追従走行）に対応する画面を表示させる。
【０１６３】
図２２は、低速追従走行時に表示される第３画面ＩＭ３−７および第４画面ＩＭ４−７の一例を示す図である。ＨＭＩ制御部１２０は、周辺検知情報表示領域６００−７に、第３の度合の運転支援が実行されていることを示す周辺検知画像６１０Ａを表示させる。周辺検知画像６１０は、カメラ１０、レーダ装置１２、ファインダ１４、物体認識装置１６、および外界認識部３２１により、自車両Ｍの周囲の監視が行われていることを示す画像である。周辺検知画像６１０は、例えば、自車両Ｍの中心から外側に向かって波紋が広がっていくようなアニメーション（動画）である。
【０１６４】
また、ＨＭＩ制御部１２０は、第３画面ＩＭ３−７の運転支援状態表示領域６２０−７に、例えば、乗員に周辺監視義務が課されていないことを示すインジケータ「Ｅｙｅｓ  Ｏｆｆ」と、運転操作子８０の操作を必要としないことを示すインジケータ「Ｈａｎｄｓ  ＯＦＦ」とをハイライト表示させる。また、ＨＭＩ制御部１２０は、運転支援状態表示領域６２０−７に、カメラ１０、レーダ装置１２、ファインダ１４、物体認識装置１６、および外界認識部３２１により、自車両Ｍの周囲の監視が行われていることを示す画像６２６を表示させる。
【０１６５】
ＨＭＩ制御部１２０は、ＨＵＤ４６０の第４画面ＩＭ４−７に、第４画面ＩＭ４−６と同様の情報に加えて、第３の度合の運転支援が実行されていることを示す画像６１０を表示させる。
【０１６６】
第３の度合の運転支援が行われる場合、乗員に周辺監視義務が課されないことから、乗員は自動運転中に第３の表示部４７０などの第１角度範囲Δθ１外に設置された機器を新たに使用することができる。そのため、ＨＭＩ制御部１２０は、運転支援の度合が大きくなったことで新たに使用可能になった機器を乗員に通知するための制御を行う。
【０１６７】
例えば、ＨＭＩ制御部１２０は、切替制御部１１０により運転支援の度合が第２の度合から第３の度合に切り替えられた場合、第３の表示部４７０に設けられた発光部４６２を所定の色で発光するように制御することで、第３の表示部４７０が新たに使用可能となったことを乗員に通知する。これによって、乗員は、第３の表示部４７０を利用してテレビ電話やテレビ番組などのコンテンツを楽しむことができる。
【０１６８】
また、第３の表示部４７０に表示される内容の選択等を行うために第３の操作部４４０を操作する必要がある場合、ＨＭＩ制御部１２０は、第３の操作部４４０に設けられた発光部４４６を所定の色で発光させる。例えば、ＨＭＩ制御部１２０は、発光部４６２おおび発光部４４６を同一の色で発光させる。これにより、乗員は、使用可能な機器と、その機器の操作部とを直感的に把握することができる。
【０１６９】
例えば、ＨＭＩ制御部１２０は、第３の表示部４７０が使用可能な状態で第３の操作部４４０が操作された場合に、操作内容に対応する画面を第３の表示部４７０に表示する。また、ＨＭＩ制御部１２０は、第３の表示部４７０が使用可能な状態で、第２の操作部４２０の操作スイッチ４２２が操作された場合に、第３の表示部４７０に通話する相手の画像を表示する。これにより、乗員は、第３の表示部４７０に表示される相手を見ながら通話を楽しむことができる。
【０１７０】
＜場面（６）＞
場面（６）では、低速追従する対象の前走車両が存在しないため、切替制御部１１０は、運転支援の度合を第３の度合から第２の度合に切り替える。この場合、ＨＭＩ制御部１２０は、図２３に示すように、運転支援の度合の変化に基づいて、乗員に要求する乗員の監視対象または操作対象を示唆する情報を画像として、第１の表示部４５０またはＨＵＤ４６０の一方または双方に表示させる。
【０１７１】
図２３は、乗員に周辺監視を行わせるために表示される第３画面ＩＭ３−８、第４画面ＩＭ４−８の一例を示す図である。ＨＭＩ制御部１２０は、周辺検知情報表示領域６００−８に、低速追従走行（図中「渋滞追従自動運転」）が終了する旨の情報と、乗員に周辺の交通状況を確認させる旨を示す情報とを表示させる。
【０１７２】
また、ＨＭＩ制御部１２０は、第４画面ＩＭ４−８に、乗員に自車両Ｍの前方を注視させることを要求する前方注視要求画像６５０を表示させる。ＨＭＩ制御部１２０は、例えば、前方注視要求画像６５０は、車両Ｍの前方の所定の領域を示す楕円状の領域である。また、前方注視要求画像６５０は、円状や矩形状等の所定の形状でもよく、乗員に注意を促すマークや記号文字等の情報でもよい。また、ＨＭＩ制御部１２０は、前方注視要求画像６５０を所定の色で点灯または点滅させる。また、ＨＭＩ制御部１２０は、インストルメントパネルに組み込まれたＬＥＤを発光させ、フロントウインドシールドでＬＥＤの発光を反射させることで、乗員に前方への注視を促してもよい。
【０１７３】
ＨＭＩ制御部１２０は、切替制御部１１０により運転支援の度合が第３の度合から第２の度合に切り替えられると、第１の表示部４５０およびＨＵＤ４６０に、第２の度合の運転支援に対応する画面を表示させる。
【０１７４】
図２４は、第３の度合の運転支援から第２の度合の運転支援に切り替わった場合の第３画面ＩＭ３−９、第４画面ＩＭ４−９の一例を示す図である。図２４の例では、第２の度合の運転支援により、行動計画生成部３２３により定められた目標速度（例えば８０［ｋｍ／ｈ］）まで加速する例を示している。例えば、ＨＭＩ制御部１２０は、第３画面ＩＭ３−９の周辺検知情報表示領域６００Ｈに、加速制御が実行されていることを示す画像６０８を表示させる。
【０１７５】
また、ＨＭＩ制御部１２０は、第３画面ＩＭ３−９の運転支援状態表示領域６２０−９に、第２の度合の運転支援に対応する「Ｈａｎｄｓ  ＯＦＦ」のインジケータをハイライト表示させる。また、ＨＭＩ制御部１２０は、運転支援状態表示領域６２０−９に、第２の度合の運転支援に対応する乗員の操作内容を示す要求動作通知画像６２２を表示させる。これにより、乗員は、第３の度合から第２の度合の運転支援に切り替わったことを直感的に把握することができる。
【０１７６】
＜場面（４）〜（６）に対応する処理フロー＞
図２５は、場面（４）〜（６）において、マスター制御部１００により実行される処理の流れの一例を示すフローチャートである。本フローチャートの処理は、運転支援の度合が第２の度合に切り替えられたときに実行される。
【０１７７】
まず、乗員状態監視部１４０は、周辺監視義務が課されていない乗員の覚醒度が閾値以上であるか否かを判定する（ステップＳ２００）。乗員の覚醒度が閾値以上であると判定した場合、乗員状態監視部１４０は、更に、乗員の顔または視線の向きが、第２角度範囲Δθ２内であるか否かを判定する（ステップＳ２０２）。
【０１７８】
監視判定部１４０Ｂにより乗員の顔または視線の向きが第２角度範囲Δθ２内であると判定された場合、すなわち、乗員がアイズオン状態である場合、切替制御部１１０は、低速追従走行が可能か否かを判定する（ステップＳ２０４）。
【０１７９】
例えば、切替制御部１１０は、前走車両が存在すること、前走車両との車間距離が所定距離以下であること、前走車両の速度が閾値以下であることを全て満たす場合に、低速追従走行が可能であると判定し、運転支援の度合を第３の度合に設定する（ステップＳ２０６）。
【０１８０】
次に、ＨＭＩ制御部１２０は、第３画面ＩＭ３および第４画面ＩＭ４に、第３の度合の運転支援が実行されていることを示す画像を表示する（ステップＳ２０８）。次に、ＨＭＩ制御部１２０は、運転支援の度合が第３の度合になったことで新たに使用可能となった機器に対応した発光部を発光させる（ステップＳ２１０）。
【０１８１】
一方、乗員の覚醒度が閾値以上でない場合、乗員の顔または視線の向きが第２角度範囲Δθ２内でない場合、或いは低速追従走行が可能でない場合、ＨＭＩ制御部１２０は、ＨＭＩ４００を用いて乗員に周辺監視を要求する（ステップＳ２１２）。
【０１８２】
乗員状態監視部１４０は、周辺監視の要求の結果、乗員の顔または視線の向きが第１角度範囲Δθ１内となったか否かを判定する（ステップＳ２１４）。乗員状態監視部１４０は、乗員の顔または視線の向きが第１角度範囲Δθ１内でない場合、所定時間経過したか否かを判定する（ステップＳ２１６）。
【０１８３】
所定時間経過するまでに乗員の顔または視線の向きが第１角度範囲Δθ１内とならなかった場合、切替制御部１１０は、自動運転制御ユニット３００に代替制御を行わせる（ステップＳ２１８）。このとき、ＨＭＩ制御部１２０は、第３画面ＩＭ３および第４画面ＩＭ４に、代替制御が実行されていることを示す画像を表示する（ステップＳ２２０）。
【０１８４】
所定時間経過するまでに乗員の顔または視線の向きが第１角度範囲Δθ１内となった場合、切替制御部１１０は、運転支援の度合を第３の度合から第２の度合に切り替える（ステップＳ２２２）。これを受けて、ＨＭＩ制御部１２０は、第３画面ＩＭ３および第４画面ＩＭ４に、第２の度合の運転支援が実行されていることを示す画像を表示する（ステップＳ２２４）。これによって、本フローチャートの処理が終了する。
【０１８５】
なお、自動運転制御ユニット３００は、乗員の顔または視線の向きが第１角度範囲Δθ１内とならなかった場合、代替制御に移行せず、第３の度合の運転支援を継続してもよい。この場合、自動運転制御ユニット３００の行動計画生成部３２３は、第３の度合の運転支援を継続する際の目標速度を、基準速度以下の速度（すなわち８０［ｋｍ／ｈ］または１００［ｋｍ／ｈ］以下の速度）や、現在の自車両Ｍの速度以下の速度（すなわち６０［ｋｍ／ｈ］以下の速度）に決定する。これによって、乗員がアイズオン状態でない場合には、第３の度合の運転支援の上限速度として決められた本来の速度まで自車両Ｍを加速させずに、比較的緩やかに自車両Ｍを加速させたり、現在の車速を維持するように走行させたりすることができる。
【０１８６】
次に、場面（７）〜（９）について説明する。図２６は、第２の度合の運転支援から手動運転による走行に切り替わるまでの各種場面を示す図である。図２６の例において、場面（７）は、自車両Ｍが行動計画に基づき高速道路を抜けるための車線変更を行う場面である。場面（８）は、自車両Ｍが手動運転に切り替わる場面である。場面（９）は、自車両Ｍが手動運転により高速道路から一般道路へ移動する場面である。以下場面（７）〜（９）のそれぞれの場面に対応する表示制御について説明する。
【０１８７】
＜場面（７）＞
場面（７）では、自動運転制御ユニット３００は、自車両Ｍが左側に車線変更するための運転支援を実行する。この場合、ＨＭＩ制御部１２０は、第１の表示部４５０またはＨＵＤ４６０の一方または双方に、運転支援に対応する画面を表示する。なお、車線変更の開始時および実行時における表示例については、図１６および図１７に示す自車両Ｍの右車線への車線変更の内容を、左車線への車線変更に置き換えて同様の表示を行うため、ここでの具体的な説明は省略する。
【０１８８】
＜場面（８）＞
場面（８）では、自動運転制御ユニット３００は、自車両Ｍが手動運転に切り替わるための制御を行う。この場合、ＨＭＩ制御部１２０は、第１の表示部４５０またはＨＵＤ４６０の一方または双方に、乗員に手動運転を実行させるための画像を表示する。
【０１８９】
図２７は、手動運転時への切り替え要求時に表示される第３画面ＩＭ３−１０、第４画面ＩＭ４−１０の一例を示す図である。ＨＭＩ制御部１２０は、高速道路の出口が近づいているため、第３画面ＩＭ３−１０の周辺検知情報表示領域６００−１０に、乗員にハンズオン（ステアリングホイール８２を操作させること）を要求する旨の要求動作通知画像６２８を表示させる。また、ＨＭＩ制御部１２０は、要求動作通知画像６２８として、ステアリングホイール８２を示す画像から乗員の手を示す画像が近づいていくようなアニメーションを表示させてもよい。
【０１９０】
また、ＨＭＩ制御部１２０は、第３画面ＩＭ３−１０の運転支援状態表示領域６２０−１０に、第２の度合の運転支援に対応する「Ｈａｎｄｓ  ＯＦＦ」の画像、および第１の度合の運転支援に対応する「Ａｓｓｉｓｔ」の画像をハイライト表示させる。
【０１９１】
ここで、操作子状態判定部１３０は、乗員がハンズオン状態であるか否かを判定する。ＨＭＩ制御部１２０は、所定時間経過しても操作子状態判定部１３０により乗員がハンズオン状態であると判定されない場合に、第１の表示部４５０またはＨＵＤ４６０の一方または双方に、例えば図２８に示すような段階的に警告を強めて乗員に手動運転を実行させるための画像を表示させる。
【０１９２】
図２８は、乗員に手動運転を実行させるための警告を強めた第３画面ＩＭ３−１１および第４画面ＩＭ４−１１の一例を示す図である。ＨＭＩ制御部１２０は、例えば、第３画面ＩＭ３−１１の運転支援状態表示領域６００−１１に、自車両Ｍの周辺状況の表示よりも強調して、乗員に監視させる監視対象や操作対象を示唆する情報を表示させる。具体的には、ＨＭＩ制御部１２０は、第３画面ＩＭ−１１の運転支援状態表示領域６００−１１に、自車両Ｍの前方の道路形状を示す画像や自車両Ｍを示す画像、自車両Ｍの将来の軌道を示す画像に代えて、乗員のステアリングホイール８２を操作させることを示す情報を重畳して表示させる。
【０１９３】
また、ＨＭＩ制御部１２０は、第４画面ＩＭ４−１１に、ステアリングホイール８２と乗員の手との位置関係を模式的に示す要求動作通知画像６６０を表示させる。ＨＭＩ制御部１２０は、要求動作通知画像６６０として、乗員の手を示す画像がステアリングホイール８２を示す画像に近づいて操作するようなアニメーションを表示させてもよい。また、ＨＭＩ制御部１２０は、乗員にステアリングホイール８２を操作させるために、音声等による警告を行ってもよい。
【０１９４】
また、ＨＭＩ制御部１２０は、乗員にステアリングホイール８２を操作させるために、ステアリングホイール８２に設けられた発光部４３０Ｒ、４３０Ｌを発光させたり、点滅させたり、発光を停止させたりする。これにより、運転支援の度合の変化に伴って乗員に要求する内容を、乗員に認識し易くすることができる。
【０１９５】
また、ＨＭＩ制御部１２０は、例えば、自車両Ｍの運転支援の度合に応じて発光部４３０Ｒ、４３０Ｌを発光、点滅させている状態で、乗員にハンズオンを要求する場合には、発光部４３０Ｒ、４３０Ｌの発光状態を、現在の発光状態とは異ならせる。例えば、ＨＭＩ制御部１２０は、現在の発光状態に対して、発光部４３０Ｒ、４３０Ｌの発光、点滅、発光色、発光輝度のうち、少なくとも一つを異ならせる。
【０１９６】
また、ＨＭＩ制御部１２０は、運転支援の度合が現在の運転支援の度合よりも低い度合に変化する場合に、発光部４３０Ｒ、４３０Ｌを発光、点滅、または発光を停止させる。これにより、ステアリングホイール８２を操作させる必要性が高い運転支援であることを乗員に伝えることができる。
【０１９７】
また、ＨＭＩ制御部１２０は、乗員にハンズオンを要求した後、所定時間を経過するまでに操作子状態判定部１３０によりハンズオン状態であると判定されない場合、段階的に警告を強めてスピーカに音声を出力させてもよい。ＨＭＩ制御部１２０は、乗員が着座するシートまたはシートベルトを振動させるアクチュエータを作動させて、シートまたはシートベルトを段階的な強さで振動させることで、乗員に警告してもよい。
【０１９８】
また、図２８に示す表示を行ってから所定時間を経過するまでに操作子状態判定部１３０によりハンズオン状態であると判定されない場合、ＨＭＩ制御部１２０は、図２９に示すように、運転支援（自動運転制御）を終了する旨の画面を表示する。
【０１９９】
図２９は、自動運転を終了する旨の情報を表示する第３画面ＩＭ３−１２および第４画面ＩＭ４−１２の一例を示す図である。ＨＭＩ制御部１２０は、第３画面ＩＭ−１２の運転支援状態表示領域６００−１２に、自車両Ｍの前方の道路形状を示す画像や自車両Ｍを示す画像、自車両Ｍの将来の軌道を示す画像に重畳して、自動運転を終了するため運転操作の交代を促す情報を表示させる。
【０２００】
また、第４画面ＩＭ４−１２には、第４画面ステアリングホイール８２と乗員の手との位置関係を模式的に示す要求動作通知画像６６０が表示される。また、ＨＭＩ制御部１２０は、乗員にステアリングホイール８２を操作させるために、図２９に示す第３画面ＩＭ３−１１および第４画面ＩＭ４−１２を表示に比して強めの音声等による警告を行ってもよい。
【０２０１】
また、ＨＭＩ制御部１２０は、例えば、第１の表示部４５０に第３画面ＩＭ３−１２を表示し、ＨＵＤ４６０に第４画面ＩＭ４−１２を表示するタイミングでシートやシートベルトを振動させるアクチュエータを作動させることで、シートまたはシートベルトの少なくとも一方を振動させてよい。この場合、ＨＭＩ制御部１２０は、第３画面ＩＭ３−１１および第４画面ＩＭ４−１１を表示させたときの振動に比して強い振動になるように、アクチュエータを作動させてもよい。これにより、乗員は、自動運転が終了することを直感的に把握することができる。
【０２０２】
また、図２９に示す表示を行ってから所定時間を経過するまでに操作子状態判定部１３０によりハンズオン状態であると判定されない場合、マスター制御部１００は、自動運転制御ユニット３００に代替制御を実行させる。この場合、ＨＭＩ制御部１２０は、図３０に示すように、代替制御を実行するための自動運転を実行する旨を示す画面を表示する。
【０２０３】
図３０は、代替制御時における第３画面ＩＭ３−１３および第４画面ＩＭ４−１３の一例を示す図である。第３画面ＩＭ−１２の運転支援状態表示領域６００−１３には、代替制御として自車両Ｍを停車させる旨の情報（図中では「緊急停止、運転操作を交代してください」）が表示される。
【０２０４】
＜場面（９）＞
場面（９）では、乗員がステアリングホイール８２を操作する旨の指示を受けて、運転支援が終了するまでにステアリングホイール８２を操作し、手動運転を開始して、高速道路から一般道路に進入する場面である。切替制御部１１０は、自車両Ｍの走行状態を、乗員の手動運転によって行う状態に切り替える。ＨＭＩ制御部１２０は、第１の表示部４５０に第１画面ＩＭ１−１を表示し、ＨＵＤ４６０に第２画面ＩＭ２−１を表示するように制御する。
【０２０５】
＜場面（７）〜（９）に対応する処理フロー＞
図３１は、場面（７）〜（９）において、ＨＭＩ制御部１２０により実行される処理の流れの一例を示すフローチャートである。
【０２０６】
まず、ＨＭＩ制御部１２０は、運転支援が終了したか否かを判定する（ステップＳ３００）。例えば、オートスイッチ３１４が操作されて切替制御部１１０が運転支援から手動運転に切り替えた場合、ＨＭＩ制御部１２０は、運転支援が終了したと判定する。
【０２０７】
ＨＭＩ制御部１２０は、運転支援が終了したと判定した場合、乗員をハンズオンさせる（ステアリングホイール８２を操作させる）ように要求する画面を表示する（ステップＳ３０２）。次に、操作子状態判定部１３０は、第１の所定時間以内に乗員がハンズオン状態となったか否かを判定する（ステップＳ３０４）。
【０２０８】
操作子状態判定部１３０により第１の所定時間以内に乗員がハンズオン状態となったと判定された場合、ＨＭＩ制御部１２０は、第１の表示部４５０に第１画面ＩＭ１を表示させ（ステップＳ３０６）、ＨＵＤ４６０に第２画面ＩＭ２を表示させる（ステップＳ３０８）。
【０２０９】
一方、ステップＳ３０４の処理において、操作子状態判定部１３０により第１の所定時間以内に乗員がハンズオン状態となったと判定されなかった場合、ＨＭＩ制御部１２０は、第１の表示部４５０に運転支援が終了することを示す画像を表示する（ステップＳ３１０）。
【０２１０】
次に、操作子状態判定部１３０は、第２の所定時間以内に乗員がハンズオン状態となったか否かを判定する（ステップＳ３１２）。
【０２１１】
操作子状態判定部１３０により第２の所定時間以内に乗員がハンズオン状態となったと判定された場合、ＨＭＩ制御部１２０は、上述したステップＳ３０６に処理を移す。
【０２１２】
一方、操作子状態判定部１３０により第２の所定時間以内に乗員がハンズオン状態となったと判定されなかった場合、ＨＭＩ制御部１２０は、ＨＭＩ制御部１２０は、第１の表示部４５０に代替制御が実行される旨の画像を表示する（ステップＳ３１４）これにより、本フローチャートの処理は終了する。
【０２１３】
＜運転支援に関連する各種機器または制御の切り替えタイミング＞
以下、自車両Ｍの運転支援に関連する各種機器または制御の切り替えタイミングについて図を用いて説明する。図３２は、運転支援に関連する各種機器または制御の切り替えタイミングについて説明するための図である。
【０２１４】
図３２では、運転支援に関連する切り替えとして、（Ａ）メインスイッチ４１２のオン／オフ、（Ｂ）オートスイッチ４１４のオン／オフ、（Ｃ）手動運転表示のオン／オフ、（Ｄ）運転支援モード表示のオン／オフ、（Ｅ）第１の度合の運転支援のオン／オフ、（Ｆ）ステアリングホイール８２を把持している／把持していない、（Ｇ）第２の度合の運転支援のオン／オフ、（Ｈ）第３の度合の運転支援のオン／オフ、（Ｉ）乗員の運転監視の要／不要の時刻の経過に対する切り替えタイミングを示している。
【０２１５】
時刻Ｔ０では、乗員の手動運転により自車両Ｍが走行している。この場合、メインスイッチスイッチ４１２およびオートスイッチ４１４は操作されておらず、第１の表示部４５０およびＨＵＤ４６０には、手動運転での画面（第１画面ＩＭ１、第２画面ＩＭ２）が表示される。また、時刻Ｔ０では、いずれの度合の運転支援も実施されていないことから、必然的に乗員はステアリングホイール８２を把持するとともに周辺監視を行う。
【０２１６】
時刻Ｔ１では、乗員によりメインスイッチ４１２をオンにする操作が実行されている。この場合、第１の表示部４５０およびＨＵＤ４６０には、運転支援モードでの画面（第３画面ＩＭ３、第４画面ＩＭ４）が表示される。時刻Ｔ１〜Ｔ２までは、運転支援による走行制御は行われておらず、手動運転が継続されている。
【０２１７】
時刻Ｔ２では、乗員によりオートスイッチ４１４をオンにする操作が実行されている。この場合、マスター制御部１００の切替制御部１１０は、運転支援の度合を第１の度合に切り替える。これにより、運転支援制御部２００は、第１の度合の運転支援を実行する。ＨＭＩ制御部１２０は、運転支援モード表示において、乗員がステアリングホイール８２から手を離すことで、第２の度合の運転支援が実行されることを示す画像を表示する。
【０２１８】
時刻Ｔ３では、自車両Ｍが第２の度合の運転支援が可能な状態で、乗員がステアリングホイール８２から手を離している。この場合、切替制御部１１０は、運転支援の度合を第１の度合から第２の度合に切り替える。これを受けて、運転支援制御部２００が運転支援制御を停止し、新たに自動運転制御ユニット３００が第２の度合の運転支援（すなわち自動運転制御）を開始する。
【０２１９】
時刻Ｔ４では、例えば、低速追従走行の開始条件が成立し、切替制御部１１０が運転支援の度合を第３の度合に切り替える。これによって、自動運転制御ユニット３００が第３の度合の運転支援として低速追従走行を開始する。これに伴って、乗員の周辺監視は不要となる。
【０２２０】
時刻Ｔ５では、第３の度合の運転支援が終了し、第２の度合の運転支援に切り替わる。従って、乗員に周辺監視義務が課される。また、時刻Ｔ５では、第２の度合の運転支援から手動運転に切り替えるための表示が行われる。この場合、ＨＭＩ制御部１２０は、運転支援モード表示において、乗員にステアリングホイール８２を操作させるための情報を表示する。
【０２２１】
時刻Ｔ６では、乗員がステアリングホイール８２を操作しハンズオン状態となる。この場合、切替制御部１１０は、運転支援の度合を第２の度合から第１の度合に切り替える。これによって、自動運転制御ユニット３００が第２の度合の運転支援を停止し、運転支援制御部２００が第１の度合の運転支援を開始する。このとき、切替制御部１１０は、第１の度合の運転支援が所定時間経過された後、手動運転に切り替えてよい。
【０２２２】
時刻Ｔ７では、自車両Ｍが手動運転に切り替わっている。この場合、メインスイッチ４１２およびオートスイッチ４１４は、例えば、自車両Ｍが手動運転に切り替わるタイミングでオフ状態に切り替わる。
【０２２３】
以上説明した実施形態によれば、運転操作子８０が乗員により操作されたことを検出する操作子状態判定部１３０と、車室内カメラ９０の撮像画像を解析することで乗員の顔または視線の向きを検出する画像処理部１４０Ａと、自動運転を実行する自動運転制御ユニット３００と、乗員に対して所定のタスクが要求される第２の度合の運転支援と、第２の度合の運転支援に比して乗員に要求されるタスクの程度が低い第３の度合の運転支援とを含む複数の運転支援のいずれかに、自動運転制御ユニット３００に実行させる運転支援を切り替える切替制御部１１０と、を備え、切替制御部１１０は、運転操作子８０が操作されたことが検出されず、且つ乗員の顔または視線の向きが第１角度範囲Δθ１内であることを、第２の度合の運転支援を実行するための条件とし、運転操作子８０が操作されたことが検出されず、且つ乗員の顔または視線の向きが第２角度範囲Δθ２内であることを、第３の度合の運転支援を実行するための条件とすることにより、より自動運転制御の難易度の高い運転支援では乗員に要求するタスクの程度を大きくし、比較的自動運転制御の難易度の低い運転支援では乗員に要求するタスクの程度を小さくすることができる。この結果、システム側で逐次変動する自動運転の実施条件を、その都度乗員に認識させることができる。
【０２２４】
また、上述した実施形態によれば、乗員の覚醒度が閾値以上のときに第３の度合の運転支援から第２の度合の運転支援に切り替えるため、乗員が覚醒していない状況で、よりタスクが増加する自動運転モードに切り替わることを抑制することができる。
【０２２５】
また、上述した実施形態によれば、第２の度合の運転支援に切り替えた場合、自車両Ｍの将来の進行方向に応じて、第１角度範囲Δθ１の基準とする向きと、第１角度範囲Δθ１とのうち一方または双方を変更するため、乗員が自車両の将来の進行方向側に視線を向けた場合であっても周辺監視が継続され、第２の度合の運転支援による自動運転制御を継続させることができる。
【０２２６】
以上、本発明を実施するための形態について実施形態を用いて説明したが、本発明はこうした実施形態に何等限定されるものではなく、本発明の要旨を逸脱しない範囲内において種々の変形及び置換を加えることができる。
【符号の説明】
【０２２７】
１…車両システム、１０…カメラ、１２…レーダ装置、１４…ファインダ、１６…物体認識装置、２０…通信装置、５０…ナビゲーション装置、５１…ＧＮＳＳ受信機、５２…ナビＨＭＩ、５３…経路決定部、５４…第１地図情報、６０…ＭＰＵ、６１…推奨車線決定部、６２…第２地図情報、７０…車両センサ、８０…運転操作子、８２…ステアリングホイール、８２Ａ…把持センサ、９０…車室内カメラ、１００…マスター制御部、１１０…切替制御部、１２０…ＨＭＩ制御部、１３０…操作子状態判定部、１４０…乗員状態監視部、１４０Ａ…画像処理部、１４０Ｂ…監視判定部、２００…運転支援制御部、３００…自動運転制御ユニット、３２０…第１制御部、３２１…外界認識部３２１…自車位置認識部、３２３…行動計画生成部、３４０…第２制御部、３４２…走行制御部、４００…ＨＭＩ、４５０…第１の表示部、４６０…ＨＵＤ４６０…第３の表示部、５００…走行駆動力出力装置、５１０…ブレーキ装置、５２０…ステアリング装置
【図１】
2018203007.tif 000003
【図２】
2018203007.tif 000004
【図３】
2018203007.tif 000005
【図４】
2018203007.tif 000006
【図５】
2018203007.tif 000007
【図６】
2018203007.tif 000008
【図７】
2018203007.tif 000009
【図８】
2018203007.tif 000010
【図９】
2018203007.tif 000011
【図１０】
2018203007.tif 000012
【図１１】
2018203007.tif 000013
【図１２】
2018203007.tif 000014
【図１３】
2018203007.tif 000015
【図１４】
2018203007.tif 000016
【図１５】
2018203007.tif 000017
【図１６】
2018203007.tif 000018
【図１７】
2018203007.tif 000019
【図１８】
2018203007.tif 000020
【図１９】
2018203007.tif 000021
【図２０】
2018203007.tif 000022
【図２１】
2018203007.tif 000023
【図２２】
2018203007.tif 000024
【図２３】
2018203007.tif 000025
【図２４】
2018203007.tif 000026
【図２５】
2018203007.tif 000027
【図２６】
2018203007.tif 000028
【図２７】
2018203007.tif 000029
【図２８】
2018203007.tif 000030
【図２９】
2018203007.tif 000031
【図３０】
2018203007.tif 000032
【図３１】
2018203007.tif 000033
【図３２】
2018203007.tif 000034